【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
案内溝が形成された基板と相変化型記録層とを有してなり、該相変化型記録層の結晶状態の部分を未記録・消去状態に対応させ、該相変化型記録層の非晶質状態の部分を記録状態に対応させて、記録光を照射することにより該記録状態に対応する非晶質マークを形成させる書き換え型光記録媒体において、
線速度１．２ｍ／ｓを基準速度（１倍速）Ｖ1とし、
基準速度の２４倍速の線速度Ｖ＝２４Ｖ1、又は３２倍速の線速度Ｖ＝３２Ｖ1のいずれか一つを選び、
基準クロック周期ＴがＶＴ＝Ｖ1Ｔ1（ただし、Ｔ1は２３１ｎｓｅｃである）であるように保ちながらＥＦＭ変調された信号を下記記録方式ＣＤ１−１又は記録方式ＣＤ１−２の条件内の１つの記録方式で１０回オーバーライト記録した後に、
１倍速での再生によって得られる記録信号のアイパターンの変調度ｍ11が６０〜８０％であり、記録信号のアイパターンの反射率の上端値Ｒtopが１５〜２５％であり、且つ各マーク長及び各マーク間のジッタが３５ｎｓｅｃ以下、
となることを特徴とする書き換え型光記録媒体。
記録方式ＣＤ１−１；
波長７８０ｎｍの光を、開口数ＮＡが０．５の光学系を介して照射する。
この際、１つの非晶質マークの時間的長さをｎＴ（ｎは３から１１までの整数）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０なる実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．７〜１．４、αi＝０．７〜１．２（ｉは２〜ｍ−１の整数であり、αiはかかるｉによらず０．７〜１．２の間の一定値αｃをとる）、β1＋α2＝１．７〜２．３、βi-1＋αi＝２（ｉは３〜ｍ−１の整数）、βm-1＋αm＝１．７〜２．３、αm＝０．７〜１．２、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０なる実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1'＝α1、β1'＝β1＋Δ1（Δ1＝０．３〜０．６）、αi'＝αｃ（ｉ＝２〜ｍ−１の整数）、βi-1'＋αi'＝２（ｉは３〜ｍ−１の整数）、βm-1'＝βm-1＋Δm-1（Δm-1＝０〜０．６）、αm'＝αm＋Δm（０＜Δm≦０．６）、Δmm＝Δm-1＋Δm＝０．３〜０．６、βm'＝βmの順に、Σi（αi'＋βi'）＝ｎ−ｋとなるように分割し、
αiＴおよびαi'Ｔなる時間（ｉは１〜ｍの整数）内には、記録層を溶融するに足る一
定の記録パワーＰｗの記録光（ただし、Ｐｗは２０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、αｃ、βm（＝βm'）、β1、Δ1、βm-1、Δm-1、αm、Δmはｍによらず一定である。
また、ｍ＝２（ｎ＝４、５）の場合には、α1、α1'、α2、α2'、β2、β2'をそれぞれｍが３の場合のα1、α1'、α3、α3'、β3、β3'と等しくするとともに、β1をｍが３の場合のβ1又はβ2のいずれかと等しくし、β1'をｍが３の場合のβ1'又はβ2'のいずれかと等しくする。
ｍ＝１（ｎ＝３）の場合には、一対の記録パワー照射区間α1'Ｔとバイアスパワー照射区間β1'Ｔからなる記録光の照射を行う。
記録方式ＣＤ１−２；
波長７８０ｎｍの光を、開口数ＮＡが０．５の光学系を介して照射する。
この際、１つの非晶質マークの時間的長さをｎＴ（ｎは３から１１までの整数）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０なる実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．７〜１．４、αi＝０．７〜１．２（ｉは２〜ｍ−１の整数であり、αiはかかるｉによらず０．７〜１．２の間の一定値αｃをとる）、β1＋α2＝１．７〜２．３、βi-1＋αi＝２（ｉは３〜ｍ−１の整数）、βm-1＋αm＝１．７〜２．３、αm＝０．７〜１．２、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０なる実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1'＝α1、β1'＝β1、αi'＝αｃ（ｉ＝２〜ｍ−１の整数）、βi-1'＋αi'＝２（ｉは３〜ｍ−１の整数）、βm-1'＝βm-1＋Δm-1（Δm-1＝０〜０．６）、αm'＝αm＋Δm（０＜Δm≦０．６）、Δmm＝Δm-1＋Δm＝０．５〜１．２、βm'＝βmの順に、Σi（αi'＋βi'）＝ｎ−ｋとなるように分割し、
αiＴおよびαi'Ｔなる時間（ｉは１〜ｍの整数）内には、記録層を溶融するに足る一定の記録パワーＰｗの記録光（ただし、Ｐｗは２０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、β1（＝β1'）、αｃ、βm-1、Δm-1、αm、βm、Δm'はｍによらず一定である。また、ｍ＝２（ｎ＝４、５）の場合には、α1、α1'、β1、β1'、α2、α2'、β2、β2'をそれぞれｍ＝３の場合のα1、α1'、β2、β2'、α3、α3'、β3、β3'と等しくする。
ｍ＝１（ｎ＝３）の場合には、一対の記録パワー照射区間α1'Ｔとバイアスパワー照射区間β1'Ｔからなる記録光の照射を行う。
【請求項２】
２４倍速（２４Ｖ1）の線速度又は３２倍速（３２Ｖ1）の線速度における記録において、３Ｔマーク（時間的長さ３Ｔを有するマーク。ただしＴはデータ基準ク
ロック周期）と３Ｔスペース（時間的長さ３Ｔを有するマーク間部）とからなる単一周期信号を記録後、１１Ｔマーク（時間的長さ１１Ｔを有するマーク）と１１Ｔスペース（時間的長さ１１Ｔを有するマーク間部）とからなる単一周期信号をオーバーライトしたときの３Ｔマークの消去比が２０ｄＢ以上である請求項１に記載の書き換え型光記録媒体。
【請求項３】
線速度１．２ｍ／ｓを基準速度（１倍速）Ｖ1としたとき、基準速度の８倍速（８Ｖ1）、１０倍速（１０Ｖ1）、１２倍速（１２Ｖ1）１６倍速（１６Ｖ1）又は２０倍速（２０Ｖ1）の少なくともいずれか一つの線速度において、下記記録方式ＣＤ２−１又は記録方式ＣＤ２−２の条件内における１つの方式で１０回オーバーライト記録した後に、１倍速での再生によって得られる記録信号のアイパターンの変調度ｍ11が６０〜８０％であり、記録信号のアイパターンの反射率の上端値Ｒtopが１５〜２５％であり、且つ各マーク長及び各マーク間のジッタが３５ｎｓｅｃ以下、となる請求項１又は２に記載の書き換え型光記録媒体。
記録方式ＣＤ２−１；
波長７８０ｎｍの光を、開口数ＮＡが０．５の光学系を介して照射する。
この際、１つの非晶質マークの時間的長さをｎＴ（ｎは３から１１までの整数）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０までの実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．１〜１、αi＝０．１〜１（ｉは２〜ｍ−１の整数であり、αiはかかるｉによらず０．１〜１の間の一定値αｃをとる）、β1＋α2＝１．７〜２．３、βi-1＋αi＝２（ｉは３〜ｍ−１の整数）、βm-1＋αm＝１．７〜２．３、αm＝０．１〜１、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０までの実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1'＝α1、β1'＝β1＋Δ1（Δ1＝０．３〜０．６）、αi'＝αｃ（ｉは２〜ｍ−１の整数）、βi-1'＋αi'＝２（ｉは３〜ｍ−１の整数）、βm-1'＝βm-1＋Δm-1（Δm-1＝０〜０．６）、αm'＝αm＋Δm（０＜Δm≦０．６）、Δmm＝Δm-1＋Δm＝０．３〜０．６、βm'＝βmの順に、Σi（αi'＋βi'）＝ｎ−ｋとなるように分割し、
αiＴおよびαi'Ｔなる時間（ｉは１〜ｍの整数）内には、記録層を溶融するに足る一定の記録パワーＰｗの記録光（ただし、Ｐｗは２０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、αｃ、βm（＝βm'）、β1、Δ1、βm-1、Δm-1、αm、Δmはｍによらず一定である。
また、ｍ＝２（ｎ＝４、５）の場合には、α1、α1'、α2、α2'、β2、β2'をそれぞれｍが３の場合のα1、α1'、α3、α3'、β3、β3'と等しくするとともに、β1をｍが３の場合のβ1又はβ2のいずれかと等しくし、β1'をｍが３の場合のβ1'又はβ2'のいずれかと等しくする。但し、ｍ＝２におけるβ2'に関しては、さらに±０．５の範囲において値を変更しうるものとする。
ｍ＝１（ｎ＝３）の場合には、一対の記録パワー照射区間α1'Ｔとバイアスパワー照射区間β1'Ｔからなる記録光の照射を行う。
記録方式ＣＤ２−２；
波長７８０ｎｍの光を、開口数ＮＡが０．５の光学系を介して照射する。
この際、１つの非晶質マークの時間的長さをｎＴ（ｎは３から１１までの整数）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０までの実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．１〜１、αi＝０．１〜１（ｉは２〜ｍ−１の整数であり、αiはかかるｉによらず０．１〜１の間の一定値αｃをとる）、β1＋α2＝１．７〜２．３、βi-1＋αi＝２（ｉは３〜ｍ−１の整数）、βm-1＋αm＝１．７〜２．３、αm＝０．１〜１、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０までの実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1＝α1、β1'＝β1、αi'＝αｃ（ｉは２〜ｍ−１の整数）、βi-1'＋αi’＝２（ｉは３〜ｍ−１の整数）、βm-1'＝βm-1＋Δm-1（Δm-1＝０〜０．６）、αm'＝αm＋Δm（０＜Δm≦０．６）、Δmm＝Δm-1＋Δm＝０．５〜１．２、βm'＝βm＋Δm'（Δm'＝０〜１）の順に、Σi（αi'＋βi'）＝ｎ−ｋとなるように分割し、
αiＴおよびαi'Ｔなる時間（ｉは１〜ｍの整数）内には、記録層を溶融するに足る一定の記録パワーＰｗの記録光（ただし、Ｐｗは２０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、β1（＝β1'）、αｃ、βm-1、Δm-1、αm、βm、Δm'はｍによらず一定である。
また、ｍ＝２（ｎ＝４、５）の場合には、α1、α1'、β1、β1'、α2、α2'、β2、β2'をそれぞれｍ＝３の場合のα1、α1'、β2、β2'、α3、α3'、β3、β3'と等しくする。
ｍ＝１（ｎ＝３）の場合には、一対の記録パワー照射区間α1'Ｔとバイアスパワー照射区間β1'Ｔからなる記録光の照射を行う。
【請求項４】
案内溝が形成された基板と相変化型記録層とを有してなり、該相変化型記録層の結晶状態の部分を未記録・消去状態に対応させ、該相変化型記録層の非晶質状態の部分を記録状態に対応させて、記録光を照射することにより該記録状態に対応する非晶質マークを形成させる書き換え型光記録媒体において、
線速度１．２ｍ／ｓを基準速度（１倍速）Ｖ1としたとき、基準速度の８倍速（８Ｖ1）、１０倍速（１０Ｖ1）、１２倍速（１２Ｖ1）、１６倍速（１６Ｖ1）、及び２０倍速（２０Ｖ1）のいずれか一つの線速度をＶminとし、基準速度の２４倍速（２４Ｖ1）又は３２倍速（３２Ｖ1）のいずれか一つの線速度をＶmaxとした場合に、
Ｖmin以上でＶmax未満の全ての線速度Ｖにおいて、
基準クロック周期ＴがＶＴ＝Ｖ1Ｔ1（ただし、Ｔ1は２３１ｎｓｅｃであり、Ｖは、８Ｖ1、１０Ｖ1、１２Ｖ1、１６Ｖ1、２０Ｖ1、２４Ｖ1、３２Ｖ1のいずれかである。）であるように保ちながらＥＦＭ変調された信号を前記記録方式ＣＤ２−１又は前記記録方式ＣＤ２−２の条件内における１つの記録方式で１０回オーバーライト記録した後に、１倍速での再生によって得られる記録信号のアイパターンの変調度ｍ11が６０〜８０％であり、記録信号のアイパターンの反射率の上端値Ｒtopが１５〜２５％であり、且つ各マーク長及び各マーク間のジッタが３５ｎｓｅｃ以下、となることを特徴とする請求項１乃至３のいずれかに記載の書き換え型光記録媒体。
【請求項５】
案内溝が、１倍速に換算したときに搬送周波数約２２．０５ｋＨｚであってＡＴＩＰ情報により±１ｋＨｚで周波数変調された溝蛇行（ウォブル）信号を有し、該ＡＴＩＰ情報が記録線速度に応じた最適記録パワーＰｗ0、最適消去パワーＰｅ0、最適バイアスパワーＰｂ0及びパルス分割情報の少なくとも１つを含む請求項１乃至４のいずれかに記載の書換え型光記録媒体。
【請求項６】
案内溝が形成された基板と相変化型記録層とを有してなり、該相変化型記録層の結晶状態の部分を未記録・消去状態に対応させ、該相変化型記録層の非晶質状態の部分を記録状態に対応させて、記録光を照射することにより該記録状態に対応する非晶質マークを形成させる書き換え型光記録媒体において、
線速度３．４９ｍ／ｓを基準速度（１倍速）Ｖ1とし、
基準速度の６倍速の線速度Ｖ＝６Ｖ1、８倍速の線速度Ｖ＝８Ｖ1、１０倍速の線速度Ｖ＝１０Ｖ1、及び、１２倍速の線速度Ｖ＝１２Ｖ1のいずれか一つを選び、
基準クロック周期ＴがＶＴ＝Ｖ1Ｔ1（ただし、Ｔ1は３８．２ｎｓｅｃである）であるように保ちながらＥＦＭ＋変調された信号を下記記録方式ＤＶＤ１−１又は記録方式ＤＶＤ１−２の条件内の１つの記録方式で１０回オーバーライト記録した後に、
１倍速での再生によって得られる記録信号のアイパターンの変調度ｍ14が５５〜８０％であり、記録信号のアイパターンの反射率の上端値Ｒtopが１８〜３０％であり、且つ再生信号のクロックジッタが１５％以下、
となることを特徴とする書き換え型光記録媒体。
記録方式ＤＶＤ１−１；
波長６５０ｎｍの光を、開口数ＮＡが０．６５の光学系を介して照射する。
この際、１つの非晶質マークの時間的長さをｎＴ（ｎは３〜１１の整数と１４）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０なる実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．７〜１．４、αi＝０．７〜１．２（ｉは２〜ｍ−１の整数であり、αiはかかるｉによらず０．７〜１．２の間の一定値αｃをとる）、β1＋α2＝１．７〜２．３、βi-1＋αi＝２（ｉは３〜ｍ−１の整数）、βm-1＋αm＝１．７〜２．３、αm＝０．７〜１．２、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０なる実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1'＝α1、β1'＝β1＋Δ1（Δ1＝０．３〜０．６）、αi'＝αｃ（ｉ＝２〜ｍ−１の整数）、βi-1'＋αi'＝２（ｉは３〜ｍ−１の整数）、βm-1'＝βm-1＋Δm-1（Δm-1＝０〜０．６）、αm'＝αm＋Δm（０＜Δm≦０．６）、Δmm＝Δm-1＋Δm＝０．３〜０．６、βm'＝βmの順に、Σi（αi'＋βi'）＝ｎ−ｋとなるように分割し、
αiＴおよびαi'Ｔなる時間（ｉは１〜ｍの整数）内には、記録層を溶融するに足る一定の記録パワーＰｗの記録光（ただし、Ｐｗは１０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、αｃ、βm（＝βm'）、β1、Δ1、βm-1、Δm-1、αm、Δmはｍによらず一定である。
また、ｍ＝２（ｎ＝４、５）の場合には、α1、α1'、α2、α2'、β2、β2'をそれぞれｍが３の場合のα1、α1'、α3、α3'、β3、β3'と等しくするとともに、β1をｍが３の場合のβ1又はβ2のいずれかと等しくし、β1'をｍが３の場合のβ1'又はβ2'のいずれかと等しくする。
ｍ＝１（ｎ＝３）の場合には、一対の記録パワー照射区間α1'Ｔとバイアスパワー照射区間β1'Ｔからなる記録光の照射を行う。
記録方式ＤＶＤ１−２；
波長６５０ｎｍの光を、開口数ＮＡが０．６５の光学系を介して照射する。
この際、１つの非晶質マークの時間的長さをｎＴ（ｎは３〜１１の整数と１４）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０なる実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．７〜１．４、αi＝０．７〜１．２（ｉは２〜ｍ−１の整数であり、αiはかかるｉによらず０．７〜１．４の間の一定値αｃをとる）、β1＋α2＝１．７〜２．３、βi-1＋αi＝２（ｉは３〜ｍ−１の整数）、βm-1＋αm＝１．７〜２．３、αm＝０．７〜１．２、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０なる実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1'＝α1、β1'＝β1、αi'＝αｃ（ｉ＝２〜ｍ−１の整数）、βi-1'＋αi'＝２（ｉは３〜ｍ−１
の整数）、βm-1'＝βm-1＋Δm-1（Δm-1＝０〜０．６）、αm'＝αm＋Δm（０＜Δm≦０．６）、Δmm＝Δm-1＋Δm＝０．５〜１．２、βm'＝βmの順に、Σi（αi'＋βi'）＝ｎ−ｋとなるように分割し、
αiＴおよびαi'Ｔなる時間（ｉは１〜ｍの整数）内には、記録層を溶融するに足る一定の記録パワーＰｗの記録光（ただし、Ｐｗは１０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、β1（＝β1'）、αｃ、βm-1、Δm-1、αm、βm、Δm'はｍによらず一定である。また、ｍ＝２（ｎ＝４、５）の場合には、α1、α1'、β1、β1'、α2、α2'、β2、β2'をそれぞれｍ＝３の場合のα1、α1'、β2、β2'、α3、α3'、β3、β3'と等しくする。
ｍ＝１（ｎ＝３）の場合には、一対の記録パワー照射区間α1'Ｔとバイアスパワー照射区間β1'Ｔからなる記録光の照射を行う。
【請求項７】
６倍速（６Ｖ1）、８倍速（８Ｖ1）、１０倍速（１０Ｖ1）、及び１２倍速（１２Ｖ1）いずれか一つの線速度での記録において、３Ｔマーク（時間的長さ３Ｔを有するマーク。ただしＴはデータ基準クロック周期）と３Ｔスペース（時間的長さ３Ｔを有するマーク間部）とからなる単一周期信号を記録後、１４Ｔマーク（時間的長さ１４Ｔを有するマーク）と１４Ｔスペース（時間的長さ１４Ｔを有するマーク間部）とからなる単一周期信号をオーバーライトしたときの３Ｔマークの消去比が２０ｄＢ以上である請求項６に記載の書き換え型光記録媒体。
【請求項８】
線速度３．４９ｍ／ｓを基準速度（１倍速）Ｖ1としたとき、基準速度の２倍速（２Ｖ1）、２．５倍速（２．５Ｖ1）、３倍速（３Ｖ1）４倍速（４Ｖ1）又は５倍速（５Ｖ1）の少なくともいずれか一つの線速度において、下記記録方式ＤＶＤ２−１又は記録方式ＤＶＤ２−２の条件内における１つの方式で１０回オーバーライト記録した後に、１倍速での再生によって得られる記録信号のアイパターンの変調度ｍ14が５５〜８０％であり、記録信号のアイパターンの反射率の上端値Ｒtopが１８〜３０％であり、且つ再生信号のクロックジッタが１５％以下、となる請求項６又は７に記載の書き換え型光記録媒体。
記録方式ＤＶＤ２−１；
波長６５０ｎｍの光を、開口数ＮＡが０．６５の光学系を介して照射する。
この際、１つの非晶質マークの時間的長さをｎＴ（ｎは３〜１１の整数と１４）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０までの実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．１〜１、αi＝０．１〜１（ｉは２〜ｍ−１の整数であり、αiはかかるｉによらず０．１〜１の間の一定値αｃをとる）、β1＋α2＝１．７〜２．３、βi-1＋αi＝２（ｉは３〜ｍ−１の整数）、βm-1＋αm＝１．７〜２．３、αm＝０．１〜１、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０までの実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1'＝α1、β1'＝β1＋Δ1（Δ1＝０．３〜０．６）、αi'＝αｃ（ｉは２〜ｍ−１の整数）、βi-1'＋αi'＝２（ｉは３〜ｍ−１の整数）、βm-1'＝βm-1＋Δm-1（Δm-1＝０〜０．６）、αm'＝αm＋Δm（０＜Δm≦０．６）、Δmm＝Δm-1＋Δm＝０．３〜０．６、βm'＝βmの順に、Σi（αi'＋βi'）＝ｎ−ｋとなるように分割し、
αiＴおよびαi'Ｔなる時間（ｉは１〜ｍの整数）内には、記録層を溶融するに足る一定の記録パワーＰｗの記録光（ただし、Ｐｗは１０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、αｃ、βm（＝βm'）、β1、Δ1、βm-1、Δm-1、αm、Δmはｍによらず一定である。
また、ｍ＝２（ｎ＝４、５）の場合には、α1、α1'、α2、α2'、β2、β2'をそれぞれｍが３の場合のα1、α1'、α3、α3'、β3、β3'と等しくするとともに、β1をｍが３の場合のβ1又はβ2のいずれかと等しくし、β1'をｍが３の場合のβ1'又はβ2'のいずれかと等しくする。但し、ｍ＝２におけるβ2'に関しては、さらに±０．５の範囲において値を変更しうるものとする。
ｍ＝１（ｎ＝３）の場合には、一対の記録パワー照射区間α1'Ｔとバイアスパワー照射区間β1'Ｔからなる記録光の照射を行う。
記録方式ＤＶＤ２−２；
波長６５０ｎｍの光を、開口数ＮＡが０．６５の光学系を介して照射する。
この際、１つの非晶質マークの時間的長さをｎＴ（ｎは３〜１１の整数と１４）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０までの実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．１〜
１、αi＝０．１〜１（ｉは２〜ｍ−１の整数であり、αiはかかるｉによらず０．１〜１の間の一定値αｃをとる）、β1＋α2＝１．７〜２．３、βi-1＋αi＝２（ｉは３〜ｍ−１の整数）、βm-1＋αm＝１．７〜２．３、αm＝０．１〜１、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０までの実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1＝α1、β1'＝β1、αi'＝αｃ（ｉは２〜ｍ−１の整数）、βi-1'＋αi＝２（ｉは３〜ｍ−１の整数）、βm-1'＝βm-1＋Δm-1（Δm-1＝０〜０．７）、αm'＝αm＋Δm（０＜Δm≦０．６）、Δmm＝Δm-1＋Δm＝０．５〜１．２、βm'＝βm＋Δm'（Δm'＝０〜１）の順に、Σi（αi'＋βi'）＝ｎ−ｋとなるように分割し、
αiＴおよびαi'Ｔなる時間（ｉは１〜ｍの整数）内には、記録層を溶融するに足る一定の記録パワーＰｗの記録光（ただし、Ｐｗは１０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワーＰｂの記録光を照射する。
さらに、ｍが３以上の場合には、α1（＝α1'）、β1（＝β1'）、αｃ、βm-1、Δm-1、αm、βm、Δm'はｍによらず一定である。
また、ｍ＝２（ｎ＝４、５）の場合には、α1、α1'、β1、β1'、α2、α2'、β2、β2'をそれぞれｍ＝３の場合のα1、α1'、β2、β2'、α3、α3'、β3、β3'と等しくする。
ｍ＝１（ｎ＝３）の場合には、一対の記録パワー照射区間α1'Ｔとバイアスパワー照射区間β1'Ｔからなる記録光の照射を行う。
【請求項９】
案内溝が形成された基板と相変化型記録層とを有してなり、該相変化型記録層の結晶状態の部分を未記録・消去状態に対応させ、該相変化型記録層の非晶質状態の部分を記録状態に対応させて、記録光を照射することにより該記録状態に対応する非晶質マークを形成させる書き換え型光記録媒体において、
線速度３．４９ｍ／ｓを基準速度（１倍速）Ｖ1としたとき、基準速度の２倍速（２Ｖ1）、２．５倍速（２．５Ｖ1）、３倍速（３Ｖ1）、４倍速（４Ｖ1）、及び５倍速（５Ｖ1）のいずれか一つの線速度をＶminとし、基準速度の６倍速（６Ｖ1）、８倍速（８Ｖ1）、１０倍速（１０Ｖ1）又は１２倍速（１２Ｖ1）のいずれか一つの線速度をＶmaxとした場合に、
Ｖmin以上Ｖmax未満の全ての線速度Ｖにおいて、
基準クロック周期ＴがＶＴ＝Ｖ1Ｔ1（ただし、Ｔ1は３８．２ｎｓｅｃであり、Ｖは、２Ｖ1、２．５Ｖ1、３Ｖ1、４Ｖ1、５Ｖ1、６Ｖ1、８Ｖ1、１０Ｖ1、１２Ｖ1のいずれかである。）であるように保ちながらＥＦＭ＋変調された信号を前記記録方式ＤＶＤ２−１又は前記記録方式ＤＶＤ２−２の条件内における１つの記録方式で１０回オーバーライト記録した後に、１倍速での再生によって得られる記録信号のアイパターンの変調度ｍ14が５５〜８０％であり、記録信号のアイパターンの反射率の上端値Ｒtopが１８〜３０％であり、且つ再生信号クロックジッタが１５％以下、となることを特徴とする請求項６乃至８のいずれかに記載の書き換え型光記録媒体。
【請求項１０】
案内溝が、基準クロック周期Ｔの３２倍の周期であってＡＤＩＰ情報により位相変調された溝蛇行（ウォブル）信号を有し、該ＡＤＩＰ情報が記録線速度に応じた最適記録パワーＰｗ0、最適消去パワーＰｅ0、最適バイアスパワーＰｂ0及びパルス分割情報の少なくとも１つを含むように予め基板に記載してなる請求項６乃至９のいずれかに記載の書換え型光記録媒体。
【請求項１１】
案内溝が、基準クロック周期Ｔの１５６倍の周期で振動する溝蛇行（ウォブル）信号を有し、記録線速度に応じた最適記録パワーＰｗ0、最適消去パワーＰｅ0、最適バイアスパワーＰｂ0及びパルス分割情報の少なくとも１つを予め基板に記載してなる請求項６乃至９のいずれかに記載の書換え型光記録媒体。
【請求項１２】
前記相変化型記録層がＳｂを主成分とする組成である請求項１乃至１１のいずれかに記載の書き換え型光記録媒体。
【請求項１３】
前記相変化型記録層がさらにＧｅ及び／又はＴｅを含有し、前記相変化型記録層中におけるＧｅの含有量が１原子％以上３０原子％以下であり、Ｔｅの含有量が０原子％以上３０原子％以下である請求項１２に記載の書き換え型光記録媒体。
【請求項１４】
前記相変化型記録層がＴｅを１０原子％以上含有し、前記相変化型記録層中においてＳｂ／Ｔｅが４．５以上であり、ＧｅとＴｅとの原子比を１：３〜１：２０とする請求項１２又は１３に記載の書き換え型光記録媒体。
【請求項１５】
前記相変化型記録層が、Ｇｅy（ＳｂxＴｅ1-x）1-y（ただし、０．０１≦ｙ≦０．０６、０．８２≦ｘ≦０．９で表される組成を主成分とする合金である請求項１４に記載の書換え型光記録媒体。
【請求項１６】
前記相変化型記録層が、ＭzＧｅy（ＳｂxＴｅ1-x）1-y-z（０．０１
≦ｚ≦０．１、０．０１≦ｙ≦０．０６、０．８２≦ｘ≦０．９であり、ＭはＧａ及びＩｎからなる群から選ばれた少なくとも一種の元素を表す。）で表される組成を主成分とする合金である請求項１５に記載の書換え型光記録媒体。
【請求項１７】
Ｓｂ／Ｔｅ比が５．５以上７．３以下の範囲にある請求項１５又は１６に記載の書き換え型光記録媒体。
【請求項１８】
レーザー光を用いて書き換え型光記録媒体を初期結晶化する際に、前記レーザー光に対して前記光記録用媒体の線速度が０．１ｍ／ｓ〜３ｍ／ｓとなるようにしてレーザー光を照射することにより初期結晶化がなされる請求項１５乃至１７のいずれかに記載の書き換え型光記録媒体。
【請求項１９】
前記相変化型記録層中のＴｅ含有量が１０原子％未満であり、Ｇｅの含有量が１原子％以上３０原子％以下である請求項１２又は１３に記載の書き換え型光記録媒体。
【請求項２０】
前記相変化型記録層が、ＴｅγＭ１β（ＧｅαＳｂ1-α）1-βーγ（ただし、０．０１≦α≦０．３、０≦β≦０．３、０≦γ＜０．１、２≦β／γ、０＜β＋γ≦０．４であり、Ｍ１はＩｎ、Ｇａ、及びＳｎからなる群から選ばれる一つである。）で表される組成を主成分とする合金である請求項１９に記載の書換え型光記録媒体。
【請求項２１】
前記相変化型記録層の膜厚が１０〜３０ｎｍである請求項１乃至２０のいずれかに記載の書き換え型光記録媒体。
【請求項２２】
前記書き換え型光記録媒体がさらに反射層を有し、反射層の面積抵抗率が０．０５Ω／□以上０．２Ω／□以下である請求項１乃至２１のいずれかに記載の書き換え型光記録媒体。
【請求項２３】
変調度ｍ11及び、結晶状態の反射率Ｒtopのいずれもが、温度１０５℃の加速試験環境下で３時間後保持した後においても、その初期値の９０％以上を維持する請求項１乃至２２のいずれかに記載の書き換え型光記録媒体。
【請求項２４】
請求項１乃至２３のいずれかに記載の書換え型光記録媒体に用いる記録方法であって、
情報を複数の記録マーク長及び記録マーク間長により記録するにあたり、
記録マーク間に対しては、非晶質を結晶化しうる消去パワーＰｅの光を照射して記録マーク間を形成するとともに、
一つの記録マークの時間的長さをｎＴ（Ｔは基準クロック周期）としたときに、
ｎ＝２ｍ（ｍは１以上の整数）なる記録マークに対しては、そのうちの時間的長さ（ｎ−ｊ）Ｔ（ｊは−２．０〜２．０なる実数）を、
α1Ｔ、β1Ｔ、α2Ｔ、β2Ｔ、・・・・、αmＴ、βmＴ、
からなるｍ個のαiＴとβiＴからなる区間（ただしΣi（αi＋βi）＝ｎ−ｊ）に分割し、
ｎ＝２ｍ＋１（ｍは１以上の整数）なる記録マークに対しては、そのうちの時間的長さ（ｎ−ｋ）Ｔ、（ｋは−２．０〜２．０なる実数）を、
α1'Ｔ、β1'Ｔ、α2'Ｔ、β2'Ｔ、・・・・、αm'Ｔ、βm'Ｔ、
からなるｍ個のαi'Ｔとβi'Ｔからなる区間（ただし、Σi（αi'＋βi'）＝ｎ−ｋ）に分割し、
αiＴおよびαi'Ｔなる時間（ｉは１〜ｍの整数）内には、記録層を溶融するに足る一定の記録パワーＰｗの光を照射し、
βiＴおよびβi'Ｔなる時間（ｉは１〜ｍの整数）内には、バイアスパワーＰｂの光を照射することによって、時間的長さｎＴの記録マークを形成する書換え型光記録媒体への記録方法であって、
ｍ≧３では、
ｎ＝２ｍの記録マークにおいては、ｎＴマークの開始時間をＴ0とするとき、（ｉ）Ｔ0から遅延時間Ｔd1Ｔ後にα1Ｔが発生された後、（ｉｉ）ｉ＝２〜ｍにおいては、βi-1＋αiが概ね周期２（但し、ｉ＝２及び／又はｉ＝ｍにおけるβi-1＋αiは、±０．５の範囲で概ね周期２からずらしてもよい。また、ｍ≧４の場合、ｉ＝３〜ｍ−１においてはβi-1及びαiは、それぞれ一定値βｃ及びαｃをとる。）を保ちながら、βi-1Ｔ及びαiＴがこの順に交互に発生された後、（ｉｉｉ）βmＴが発生され、
ｎ＝２ｍ＋１の記録マークにおいては、ｎＴマークの開始時間をＴ0とするとき、（ｉ
）Ｔ0から遅延時間Ｔd1'Ｔ後にα1'Ｔが発生された後、（ｉｉ）ｉ＝２〜ｍでおいては、βi-1'＋αi'が概ね周期２（但し、ｉ＝２及び／又はｉ＝ｍにおけるβi-1'＋αi'は、±２の範囲で概ね周期２からずらしてもよい。また、ｍ≧４の場合、ｉ＝３〜ｍ−１においてはβi-1'及びαi'は、それぞれ一定値βｃ及びαｃをとる。）を保ちながら、βi-1'Ｔ及びαi'Ｔがこの順に交互に発生された後、（ｉｉｉ）βm'Ｔが発生され、
同一のｍにおける、ｎ＝２ｍの記録マーク及びｎ＝２ｍ＋１の記録マークにおいて、αm≠αm'とし、かつ、（Ｔd1，Ｔd1'）、（α1，α1'）、（β1、β1'）、（βm-1とβm-1'）、及び（βmとβm'）から選ばれる一組以上が異なる値をとることを特徴とする記録方法。
【請求項２５】
ｍ≧３の同一のｍにおけるｎ＝２ｍの記録マーク及びｎ＝２ｍ＋１の記録マークにおいて、αm≠αm'かつβ1≠β1'とし、かつ、（Ｔd1，Ｔd1'）、（α1とα1'）、（βm-1とβm-1'）、及び（βmとβm'）から選ばれる一組以上が異なる値をとる請求項２４に記載の記録方法。
【請求項２６】
αm及びαm'の関係をαm'＝αm＋Δm（０＜Δm≦１）とし、β1及びβ1'の関係をβ1'＝β1＋Δ1（０＜Δ1≦１）とする請求項２５に記載の光記録方法。
【請求項２７】
３以上のｍにおいては、Ｔd1'＝Ｔd1、α1'＝α1、β1＋α2＝１．５〜２．５、βm-1＋αm＝１．５〜２．５、β1'＝β1＋Δ1（０＜Δ1≦１）、βm-1'＝βm-1＋Δm-1（Δm-1＝０〜１）、αm'＝αm＋Δm（０＜Δm≦１）、Δmm＝Δm-1＋Δm、０＜Δmm≦１、βm'＝βm＋Δm'（Δm'＝０〜１）関係を満たし、かつ、Ｔd1，α1、β1、Δ1、αｃ、βm-1、Δm-1、αm、Δm、βm、Δm'は、３以上のｍにおいてはｍによらず一定であることを特徴とする請求項２５又は２６に記載の光記録方法。
【請求項２８】
ｍ＝２においては、α1、α1'、α2、α2'、β2、β2'をそれぞれｍが３以上の場合のいずれかのｍにおけるα1、α1'、αm、αm'、βm、βm'と等しくする（ただしβ2'に関しては、さらに±０．５の範囲において、値を変更しうるものとする）とともに、β1をｍが３以上の場合のいずれかのｍにおけるβ1又はβm-1のいずれかと等しくし、β1'をｍが３以上の場合のいずれかのｍにおけるβ1'又はβm-1'のいずれかと等しくする請求項２５乃至２７のいずれかに記載の光記録方法。
【請求項２９】
３以上のｍにおいては、Ｔd1＋α1＝２、α1＝αｃ、β1＋α2＝２、βm-1＋αm＝２、及びαm＝αｃのうち少なくとも一つの式が成り立つ請求項２５乃至２８のいずれかに記載の光記録方法。
【請求項３０】
ｍ＝２においても、Ｔd1＋α1＝Ｔd1'＋α1'＝２、α1＝α1'＝αｃ、β1＋α2＝２、及びα2＝αｃのうち少なくとも一つの式が成り立つ請求項２９に記載の光記録方法。
【請求項３１】
記録線速度を基準線速度Ｖ1＝１．２〜１．４ｍ／ｓの３２倍速以下のいずれかの線速度とし、ＥＦＭ変調された情報を複数の記録マーク長及び記録マーク間長により記録するにあたり、一つの記録マークの時間的長さをｎＴとし（ｎは３〜１１までの整数）、消去パワーＰｅと記録パワーＰｗとの比を、Ｐｅ／Ｐｗ＝０．２〜０．６とし、バイアスパワーＰｂを、Ｐｂ≦０．２Ｐｅとする請求項２４乃至３０のいずれかに記載の光記録方法。
【請求項３２】
記録線速度を基準線速度Ｖ1＝３．４９ｍ／ｓの１２倍速以下のいずれかの線速度とし、ＥＦＭ＋変調された情報を複数の記録マーク長及び記録マーク間長により記録するにあたり、一つの記録マークの時間的長さをｎＴとし（ｎは３〜１１までの整数と１４）、消去パワーＰｅと記録パワーＰｗとの比を、Ｐｅ／Ｐｗ＝０．２〜０．６とし、バイアスパワーＰｂを、Ｐｂ≦０．２Ｐｅとする請求項２４乃至は３０に記載の光記録方法。
【請求項３３】
書換え型光記録媒体に対して、情報を複数の記録マーク長及び記録マーク間長により記録するにあたり、
記録マーク間に対しては、非晶質を結晶化しうる消去パワーＰｅの光を照射して記録マーク間を形成するとともに、
一つの記録マークの時間的長さをｎＴ（Ｔは基準クロック周期）としたときに、
ｎ＝２ｍ（ｍは１以上の整数）なる記録マークに対しては、そのうちの時間的長さ（ｎ−ｊ）Ｔ（ｊは−２．０〜２．０なる実数）を、
α1Ｔ、β1Ｔ、α2Ｔ、β2Ｔ、・・・・、αmＴ、βmＴ、
からなるｍ個のαiＴとβiＴからなる区間（ただしΣi（αi＋βi）＝ｎ−ｊ）に分割し、
ｎ＝２ｍ＋１（ｍは１以上の整数）なる記録マークに対しては、そのうちの時間的長さ（ｎ−ｋ）Ｔ、（ｋは−２．０〜２．０なる実数）を、
α1'Ｔ、β1'Ｔ、α2'Ｔ、β2'Ｔ、・・・・、αm'Ｔ、βm'Ｔ、
からなるｍ個のαi'Ｔとβi'Ｔからなる区間（ただし、Σi（αi'＋βi'）＝ｎ−ｋ）に分割し、
αiＴおよびαi'Ｔなる時間（ｉは１〜ｍの整数）内には、記録層を溶融するに足る一定の記録パワーＰｗの光を照射し、
βiＴおよびβi'Ｔなる時間（ｉは１〜ｍの整数）内には、バイアスパワーＰｂの光を照射することによって、時間的長さｎＴの記録マークを形成する書換え型光記録媒体への記録方法であって、
ｍ≧３では、
ｎ＝２ｍの記録マークにおいては、ｎＴマークの開始時間をＴ0とするとき、（ｉ）Ｔ0から遅延時間Ｔd1Ｔ後にα1Ｔが発生された後、（ｉｉ）ｉ＝２〜ｍにおいては、βi-1＋αiが概ね周期２（但し、ｉ＝２及び／又はｉ＝ｍにおけるβi-1＋αiは、±０．５の範囲で概ね周期２からずらしてもよい。また、ｍ≧４の場合、ｉ＝３〜ｍ−１においてはβi-1及びαiは、それぞれ一定値βｃ及びαｃをとる。）を保ちながら、βi-1Ｔ及びαiＴがこの順に交互に発生された後、（ｉｉｉ）βmＴが発生され、
ｎ＝２ｍ＋１の記録マークにおいては、ｎＴマークの開始時間をＴ0とするとき、（ｉ）Ｔ0から遅延時間Ｔd1'Ｔ後にα1'Ｔが発生された後、（ｉｉ）ｉ＝２〜ｍでおいては、βi-1'＋αi'が概ね周期２（但し、ｉ＝２及び／又はｉ＝ｍにおけるβi-1'＋αi'は、±２の範囲で概ね周期２からずらしてもよい。また、ｍ≧４の場合、ｉ＝３〜ｍ−１においてはβi-1'及びαi'は、それぞれ一定値βｃ及びαｃをとる。）を保ちながら、βi-1'Ｔ及びαi'Ｔがこの順に交互に発生された後、（ｉｉｉ）βm'Ｔが発生され、
同一のｍにおける、ｎ＝２ｍの記録マーク及びｎ＝２ｍ＋１の記録マークにおいて、Ｔd1＝Ｔd1'、α1＝α1'、β1＝β1'、αm≠αm'とし、かつ（βm-1とβm-1'）又は（βmとβm'）の一組以上が異なる値をとることを特徴とする書換え型光記録媒体への記録方法。
【請求項３４】
３以上のｍにおいては、同一分割数ｍにおいて、ｎが奇数である場合のβm-1'＋αm'＋βm'は、ｎが偶数である場合のβm-1＋αm＋βmよりも、０．５〜１．５大きい請求項３３に記載の光記録方法。
【請求項３５】
３以上のｍにおいては、Ｔd1'＝Ｔd1、α1'＝α1、β1＋α2＝１．５〜２．５、βm-1＋αm＝１．５〜２．５、βm-1'＝βm-1＋Δm-1（Δm-1＝０〜１）、αm'＝αm＋Δm（０＜Δm≦１）、βm'＝βm＋Δm'（Δm'＝０〜１）、Δm-1＋Δm＋Δm'＝０．５〜１．５、の関係を満たし、かつ、Ｔd1，α1、β1、αｃ、βm-1、Δm-1、αm、βm、及びΔm'は、ｍによらず一定とし、Δmは、ｍに応じてΔm1又はΔm2のいずれかの値をとることを特徴とする請求項３３又は３４に記載の光記録方法。
【請求項３６】
ｍ＝２においては、α1、α1'、β1、β1'、α2、α2'、β2、β2'を、それぞれ、ｍ＝３以上の場合のいずれかのｍにおけるα1、α1'、βm-1、βm-1'、αm、αm'、βm、βm'と等しくすることを特徴とする請求項３３乃至３５のいずれかに記載の光記録方法。
【請求項３７】
３以上のｍにおいてはΔm＝Δm1＝Δm2である請求項３３乃至３６のいずれかに記載の光記録方法。
【請求項３８】
３以上のｍにおいては、Ｔd1＋α1＝２、α1＝αｃ、β1＋α2＝２、βm-1＋αm＝２、及びαm＝αｃのうち少なくとも一つの式が成り立つ請求項３３乃至３７のいずれか一つに記載の光記録方法。
【請求項３９】
ｍ＝２においても、Ｔd1＋α1＝Ｔd1'＋α1'＝２、α1＝α1'、β1＋α2＝２、及びα2＝αｃのうち少なくとも一つの式が成り立つ請求項３８に記載の光記録方法。
【請求項４０】
３以上のｍにおいては、同一分割数ｍにおいて、Ｔd1'＝Ｔd1、α1＝α1'、Ｔd1＋α1＝２、βm-1'＝βm-1＋Δm-1（Δm-1＝０〜１）、αm'＝αｃ＋Δm（０＜Δm≦１）、Δm-1＋Δm＋Δm'＝０．５〜１．５、βm'＝βm＋Δm'、Δm'＝０〜１の関係を満たし、かつ、α1，αｃ、Δm-1、Δm、βm、Δm'は、ｍによらず一定とし、
ｍ＝２の場合には、α1、α1'、β1、β1'、α2、α2'、β2、β2'をそれぞれｍ＝３の場合のα1、α1'、β2（＝βｃ）、β2'（＝βｃ＋Δm-1）、α3（＝αｃ）、α3'（＝αｃ＋Δm）、β3、β3'（＝β3＋Δm'）と等しくする請求項３５に記載の光記録方法。
【請求項４１】
ｎ＝３におけるα1'が、４以上のｎにおけるα1'よりも大きい請求項３３乃至４０のいずれかに記載の光記録方法。
【請求項４２】
ｎ＝３，５におけるＴd1'をそれぞれ、Ｔd1a、Ｔd1cとし、ｎ＝４におけるＴd1をＴd1bとし、６以上のｎにおけるＴd1、Ｔd1'をＴd1dとするとき、Ｔd1a、Ｔd1b、Ｔd1cのうちの少なくとも一つは、Ｔd1dとは異なる値とすることを特徴とする請求項３３乃至４１のいずれかに記載の光記録方法。
【請求項４３】
前記書き換え型光記録媒体が円盤状のディスクであり、同一ディスク面内において、１倍速基準速度（ＣＤの場合は１．２ｍ／ｓ〜１．４ｍ／ｓ、ＤＶＤの場合は３．４９ｍ／ｓ）でＣＬＶ記録されたディスクと同一となるよう記録線密度を一定としながら複数の記録線速度で記録を行う光記録方法であって、
記録線速度のうちの最大線速度Ｖmaxは、ＣＤの場合は２０倍速、２４倍速、又は３２倍速のいずれかであり、ＤＶＤの場合は６倍速、８倍速、１０倍速、又は１２倍速のいずれかであり、
該Ｖmaxにおけるαi＝αimax（ｉ＝１〜ｍ）を０．５〜２とし、かつ該Ｖmaxにおけるαi'＝αimax'（ｉ＝１〜ｍ）を０．５〜２とし、低線速度ほどαi及びαi'（ｉ＝１〜ｍ）をそれぞれ単調に減少させる請求項２４乃至４２のいずれかに記載の光記録方法。
【請求項４４】
最小線速度ＶminをＣＤの場合は８倍速、１０倍速、１２倍速、又は１６倍速のいずれとし、ＤＶＤの場合は２．５倍速、３倍速、４倍速、又は５倍速のいずれかとするとき、
前記Ｖminから前記Ｖmaxまでの線速度範囲においては、３以上のｍにおいて、Ｔd1＋α1、Ｔd1'＋α1'、βi-1＋αi＝２、βi-1'＋αi'＝２（ｉ＝３〜ｍ−１）、がそれぞれ線速度によらず一定である請求項４３に記載の光記録方法。
【請求項４５】
使用するいずれの線速度においてもβm＝０〜２及びβm'＝０〜３とし、かつ、βm及びβm'を線速度が低いほど単調に増加させる請求項４３又は４４に記載の書換え型光記録媒体への記録方法。
【請求項４６】
Δm'を低線速度ほど単調に増加させることを特徴とする請求項４３乃至４５のいずれかに記載の光記録方法。
【請求項４７】
ｎ＝３におけるＴd1'、α1'、β1'のうち、Ｔd1'及びβ1'は低線速度ほど単調に増加させ、α1'は、低線速度ほど単調に減少させる請求項４３乃至４６のいずれかに記載の光記録方法。
【請求項４８】
使用するいずれの線速度においても、βiＴ（ｉ＝１〜ｍ）及びβi'Ｔ（ｉ＝１〜ｍ−１）を２ナノ秒以上とする請求項４３乃至４７のいずれかに記載の光記録方法。
【請求項４９】
前記円盤状の書換え型光記録媒体にＥＦＭ変調された情報を複数のマーク長により記録するに当たり、
線速度１．２ｍ／ｓ〜１．４ｍ／ｓを基準速度（１倍速）として、前記光記録媒体の記録領域最外周での線速度が２０倍速以上となるように前記光記録媒体を回転させる請求項４３乃至４８のいずれかに記載の光記録方法。
【請求項５０】
前記記録領域最内周での線速度を該基準線速度の１６倍速以上とし、かつ外周ほど記録線速度が高くなるようになるように該ディスクを回転させる請求項４９に記載の光記録方法。
【請求項５１】
前記記録領域を一定半径毎に仮想的な複数のゾーンに区切り、βm＝０〜３とし、かつ、βmを内周のゾーンほど単調に大きくし、αi、αi'を内周のゾーンほど単調に小さくする請求項４９又は５０に記載の光記録方法。
【請求項５２】
いずれの半径位置においても、Ｐｂ、Ｐｗ、及びＰｅ／Ｐｗの値がほぼ一定である請求項４９乃至５１のいずれかに記載の光記録方法。
【請求項５３】
前記円盤状の書換え型光記録媒体にＥＦＭ＋変調された情報を複数のマーク長により記録するに当たり、
線速度３．４９ｍ／ｓを基準速度（１倍速）として、前記光記録媒体の記録領域最外周での線速度が６倍速以上となるように前記光記録媒体を回転させる請求項４３乃至４８のいずれかに記載の光記録方法。
【請求項５４】
前記記録領域最内周での線速度を該基準線速度の６倍速以上とし、かつ外周ほど記録線速度が高くなるようになるように該ディスクを回転させる請求項５３に記載の光記録方法。
【請求項５５】
前記記録領域を一定半径毎に仮想的な複数のゾーンに区切り、βm＝０〜３とし、かつ、βmを内周のゾーンほど単調に大きくし、αi、αi'を内周のゾーンほど単調に小さくする請求項５３又は５４に記載の光記録方法。
【請求項５６】
いずれの半径位置においても、Ｐｂ、Ｐｗ、及びＰｅ／Ｐｗの値がほぼ一定である請求項５３乃至５５のいずれか１つに記載の光記録方法。
【手続補正２】
【補正対象書類名】明細書
【補正対象項目名】００６０
【補正方法】変更
【補正の内容】
【００６０】
ｍ＝１（ｎ＝３）の場合には、一対の記録パワー照射区間α1'Ｔとバイアスパワー照射区間β1'Ｔからなる記録光の照射を行う。
記録方式ＣＤ２−２；
波長７８０ｎｍの光を、開口数ＮＡが０．５の光学系を介して照射する。
この際、１つの非晶質マークの時間的長さをｎＴ（ｎは３から１１までの整数）としたとき、
記録マーク間に対しては、非晶質を結晶化し得る消去パワーＰｅを照射し、
ｎ＝２ｍ（ｍは３以上の整数）なる記録マークに対しては、そのうちの時間的長さ（ｎ−ｊ）Ｔ、（ｊは−２．０〜２．０までの実数）を、
α1Ｔ、β1Ｔ、α2Ｔ、β2Ｔ、・・・・、αmＴ、βmＴ、
からなるｍ個のαiＴとβiＴとからなる区間に分割し、かつ、各区間がα1＝０．１〜
１、αi＝０．１〜１（ｉは２〜ｍ−１の整数であり、αiはかかるｉによらず０．１〜１の間の一定値αｃをとる）、β1＋α2＝１．７〜２．３、βi-1＋αi＝２（ｉは３〜ｍ−１の整数）、βm-1＋αm＝１．７〜２．３、αm＝０．１〜１、βm＝０〜２、の順に、Σi（αi＋βi）＝ｎ−ｊとなるように分割し、
ｎ＝２ｍ＋１（ｍは３以上の整数）なる記録マークに対しては、そのうちの時間的長さ（ｎ−ｋ）Ｔ、（ｋは−２．０〜２．０までの実数）を、
α1'Ｔ、β1'Ｔ、α2'Ｔ、β2'Ｔ、・・・・、αm'Ｔ、βm'Ｔ、
からなるｍ個のαi'Ｔとβi'Ｔとからなる区間に分割し、かつ、各区間がα1＝α1、β1'＝β1、αi'＝αｃ（ｉは２〜ｍ−１の整数）、βi-1'＋αi’＝２（ｉは３〜ｍ−１の整数）、βm-1'＝βm-1＋Δm-1（Δm-1＝０〜０．６）、αm'＝αm＋Δm（０＜Δm≦０．６）、Δmm＝Δm-1＋Δm＝０．５〜１．２、βm'＝βm＋Δm'（Δm'＝０〜１）の順に、
Σi（αi'＋βi'）＝ｎ−ｋとなるように分割し、
αiＴおよびαi'Ｔなる時間（ｉは１〜ｍの整数）内には、記録層を溶融するに足る一
定の記録パワーＰｗの記録光（ただし、Ｐｗは２０〜４０ｍＷであり、Ｐｅ／Ｐｗ＝０．２〜０．６とする）を照射し、
βiＴおよびβi'Ｔなる時間（ｉは１〜ｍの整数）内には、１ｍＷ未満のバイアスパワ
ーＰｂの記録光を照射する。
【手続補正３】
【補正対象書類名】明細書
【補正対象項目名】００８１
【補正方法】変更
【補正の内容】
【００８１】
図１６に示すように、ｎＴマークのｎのとり得る値が奇数であるか偶数であるかに分けて考える。分割数ｍが同じ偶数長マークと奇数長マークのマーク長差１Ｔの補正を、記録パルス周期（βm-1＋αm）Ｔ及び最後尾のオフパルスβmＴに分散して割り当てる。つま
り、マーク長１Ｔの補正をオフパルス長βm-1Ｔ及びβmＴ、さらには最後尾の記録パルス区間パルスαmＴの調整にて行う。
【手続補正４】
【補正対象書類名】明細書
【補正対象項目名】００９９
【補正方法】変更
【補正の内容】
【００９９】
このように特定範囲の媒体を規定する場合には、記録方式ＣＤ１−２と記録方式ＣＤ２−２を組み合わせて、最高線速度Ｖmaxが２４倍速又は３２倍速である書き換え型ＣＤ−
ＲＷを規定することが特に好ましい。
さらに、このような３２倍速又は２４倍速対応の媒体特性の規定方法において、記録方式ＣＤ１−２において、特に以下のように限定した記録方式ＣＤ１−３とすることで、より具体的に媒体特性を限定できる。従って、そのような媒体を複数の記録装置で記録する場合の互換性が確保できて好ましい。すなわち、
（記録方式ＣＤ１−３）
ｍ＝２以上のマーク長においては、Ｔd1'＝Ｔd1＝２−αｃ、αi'＝αi＝αｃ（ｉ＝１〜ｍ−１）、βi'＝βi＝２−αｃ（ｉ＝１〜ｍ−２）、αm＝αｃ、βm-1＝２−αｃで
一定、かつ、βm-1'＝１＋Δm0（０＜Δm0≦０．６）、αm'＝１＋Δm0（０＜Δm0≦０．６）、βm'＝βm＋Δm'とし、Δm0、Δm’、をｍによらず一定とする。ここで、ｍ＝２の場合、β1、β1'、α2、α2'、β2、β2'は、それぞれ、ｍ＝３の場合のβ2（βm-1）、
β2'（βm-1'）、α3（αm）、α3'（αm'）、β3（βm）、β3'（βm'）とみなす。αｃは０．７〜１．２、より好ましくは０．７〜１、特に好ましくは０．９〜１とする。
【手続補正５】
【補正対象書類名】明細書
【補正対象項目名】０１０３
【補正方法】変更
【補正の内容】
【０１０３】
また、ｎが奇数である記録マークの後端部の形状を安定化してジッタ特性を改良する観点から、Δm'を０≦Δm'≦１の範囲とするのが好ましく、０≦Δm'≦０．６の範囲とするのがより好ましく、０≦Δm'≦０．５の範囲とするのが特に好ましい。
そして、各線速度において、図１７の手順に従って、最小限のパラメータの最適値を見出していく。すなわち、
１）Ｐｗ、Ｐｅ及びＰｂの暫定値Ｐｗa、Ｐｅa、Ｐｂaを決める。
２）偶数マーク及びスペース長（ｎ＝４，６，８，１０をすべて含む）だけからなるＥＦＭ信号をＰｗa，Ｐｅa、Ｐｂaを照射して記録する。αｃ、βmを可変として、ｍ11＝０．６〜０．８となる範囲内で、１倍速再生時に各マーク長及びスペース長が所定の長さとして再生され、ジッター値が３５ｎｓｅｃとなるようなαｃ、βmを決める。
３）続いて、上記偶数長マーク及びスペース長だけからなるＥＦＭ信号に、ｎ＝３以外の奇数マーク長およびスペース長（ｎ＝５，７，９，１１をすべて含む）を加えてなるＥＦＭ信号をＰｗa，Ｐｅa、Ｐｂaを照射して記録する。αｃ、βmは、上記値を用い、Δm0＝Δm-1＝Δm、Δm'を可変として、１倍速再生時に各マーク長、及びスペース長が所定の長さとして再生され、ジッター値が３５ｎｓｅｃとなるような値を見出す。
４）最後に、３Ｔマーク及びスペースを加えた、完全なＥＦＭ信号をＰｗa，Ｐｅa、Ｐｂaを照射して記録する。ｎ＝２以上のマーク長に関しては、上記、αｃ、βm、Δm0＝Δm-1＝Δm、Δm'値を用いる。ｎ＝３に関する、Ｔd1'、α1'、β1'のみ可変として、１倍速
再生時に３Ｔマーク長およびスペース長が所定の長さとして再生され、ジッター値が３５ｎｓｅｃとなるような値を見出す。
５）Ｐｗa，Ｐｅaを可変として、ｍ11＝０．６〜０．８の範囲で、主としてジッタ又はエラーレートが最小となるようＰｗ，Ｐｅの微調整を行う。
という手順である。各ステップにおいて、ｍ11＝０．６〜０．８、ジッタ３５ｎｓｅｃが得られなければ、その媒体は本発明要件を満足しないといえる。
【手続補正６】
【補正対象書類名】明細書
【補正対象項目名】０１６８
【補正方法】変更
【補正の内容】
【０１６８】
このように特定範囲の媒体を規定する場合には、記録方式ＤＶＤ１−２と記録方式ＤＶＤ２−２を組み合わせて、最高線速度Ｖmaxが６倍速、８倍速、１０倍速、又は１２倍速
であるＲＷ−ＤＶＤを規定することが特に好ましい。
さらに、このような６倍速、８倍速、１０倍速、又は１２倍速対応の媒体特性の規定方法において、記録方式ＤＶＤ１−２において、特に以下のように限定した記録方式ＤＶＤ１−３とすることで、より具体的に媒体特性を限定できる。従って、そのような媒体を複数の記録装置で記録する場合の互換性が確保できて好ましい。すなわち、
（記録方式ＤＶＤ１−３）
ｍ＝２以上のマーク長においては、Ｔd1'＝Ｔd1＝２−αｃ、αi'＝αi＝αｃ（ｉ＝１〜ｍ−１）、βi'＝βi＝２−αｃ（ｉ＝１〜ｍ−２）、αm＝αｃ、βm-1＝２−αｃで
一定、かつ、βm-1'＝１＋Δm0（０＜Δm0≦０．７）、αm'＝１＋Δm0（０＜Δm0≦０．７）、βm'＝βm＋Δm'とし、Δm0、Δm'、βm、をｍによらず一定とする。ここで、ｍ＝２の場合、β1、β1'、α2、α2'、β2、β2'は、それぞれ、ｍ＝３の場合のβ2（βm-1
）、β2'（βm-1'）、α3（αm）、α3'（αm'）、β3（βm）、β3'（βm'）とみなす。αｃは０．７〜１．２、より好ましくは０．７〜１、特に好ましくは０．９〜１とする。
【手続補正７】
【補正対象書類名】明細書
【補正対象項目名】０１７３
【補正方法】変更
【補正の内容】
【０１７３】
また、ｎが奇数である記録マークの後端部の形状を安定化してジッタ特性を改良する観点から、Δm'を０≦Δm'≦１の範囲とするのが好ましく、０≦Δm'≦０．６の範囲とするのがより好ましく、０≦Δm'≦０．５の範囲とするのが特に好ましい。
そして、各線速度において、図１７の手順に従って、最小限のパラメータの最適値を見出していく。すなわち、
１）Ｐｗ、Ｐｅ、及びＰｂの暫定値Ｐｗa、Ｐｅa、Ｐｂaを決める。
２）偶数マーク及びスペース長（ｎ＝４，６，８，１０、１４をすべて含む）だけからなるＥＦＭ＋信号をＰｗa，Ｐｅa、Ｐｂaを照射して記録する。αｃ、βmを可変として、ｍ14＝０．５５〜０．８となる範囲内で、１倍速再生時に各マーク長及びスペース長が所定の長さとして再生され、ジッター値が１５％以下となるようなαｃ、βmを決める。
３）続いて、上記偶数長マーク及びスペース長だけからなるＥＦＭ＋信号に、ｎ＝３以外の奇数マーク長およびスペース長（ｎ＝５，７，９，１１をすべて含む）を加えてなるＥＦＭ＋信号をＰｗa，Ｐｅa、Ｐｂaを照射して記録する。αｃ、βmは、上記値を用い、Δm0＝Δm-1＝Δm、Δm'を可変として、１倍速再生時にジッター値が１５％以下となるような値を見出す。
４）最後に、３Ｔマーク及びスペースを加えた、完全なＥＦＭ＋信号をＰｗa，Ｐｅa、Ｐｂaを照射して記録する。ｎ＝２以上のマーク長に関しては、上記、αｃ、βm、Δm0＝Δm-1＝Δm、Δm'値を用いる。ｎ＝３に関する、Ｔd1'、α1'、β1'のみ可変として、１倍
速再生時にジッター値が１５％以下となるような値を見出す。
５）Ｐｗa，Ｐｅaを可変として、ｍ14＝０．５５〜０．８の範囲で、主としてジッタ又はエラーレートが最小となるようＰｗ，Ｐｅの微調整を行う。
という手順である。各ステップにおいて、ｍ14＝０．５５〜０．８、ジッタ１５％以下が得られなければ、その媒体は本発明要件を満足しないといえる。
【手続補正８】
【補正対象書類名】明細書
【補正対象項目名】０１７９
【補正方法】変更
【補正の内容】
【０１７９】
非晶質形成を促進させ、かつ非晶質状態の経時安定性を高める上記添加元素は、結晶化温度を高める効果もある。このような添加元素としては、Ｇｅ、Ｔｅ、Ｉｎ、Ｇａ、Ｓｎ、Ｐｂ、Ｓｉ、Ａｇ、Ｃｕ、Ａｕ、希土類元素、Ｔａ、Ｎｂ、Ｖ、Ｈｆ、Ｚｒ、Ｗ、Ｍｏ、Ｃｕ、Ｃｒ、Ｃｏ、窒素、酸素、及びＳｅ等を用いることができる。これら添加元素のうち、非晶質形成の促進、非晶質状態の経時安定性の向上、及び結晶化温度を高める観点から、好ましいのはＧｅ、Ｔｅ、Ｉｎ、Ｇａ、及びＳｎからなる群から選ばれる少なくとも１つとすることであり、特に好ましいのは、Ｇｅ及び／又はＴｅを用いることである。
【手続補正９】
【補正対象書類名】明細書
【補正対象項目名】０３１３
【補正方法】変更
【補正の内容】
【０３１３】
結局、３以上のｍ（６以上のｎ）においては、周期（β1＋α2）Ｔ及び／又は（βm-1
＋αm）Ｔにおいて、微調整を行うことにより、所望のマーク長ｎＴを達成する。このう
ち、α2も他のαi（ｉ＝３〜ｍ−１）と同一の値αｃをとることが望ましい。さらに偶数マークにおいては、αmも同一値αｃをとることが望ましい。このようにすることにより
、記録パルスストラテジーの記録パルス及びオフパルスのレーザー光（パルス光）発生を制御する制御回路の設計がより簡便化されるようになる。
【手続補正１０】
【補正対象書類名】明細書
【補正対象項目名】０３５５
【補正方法】変更
【補正の内容】
【０３５５】
ここで、パルス分割方法（ＩＩ−Ａ）においては、記録パルスストラテジーの記録パルス及びオフパルスのレーザー光（パルス光）の制御を行う制御回路（電子回路）の設計をより簡略化するために、３以上のｍにおいては、Ｔd1＋α1＝２、α1＝αｃ、β1＋α2＝２、βm-1＋αm＝２、及びαm＝αｃのうち少なくとも一つの式が成り立つようにするこ
とが好ましい。
【手続補正１１】
【補正対象書類名】明細書
【補正対象項目名】０３８８
【補正方法】変更
【補正の内容】
【０３８８】
そして、記録パルス分割方法（Ｉ）を基本として、記録パルス分割方法（ＩＶ）を適用する。
（記録パルス分割方法（ＩＶ））
書き換え型光記録媒体が円盤状のディスクであり、同一ディスク面内において、１倍速基準速度でＣＬＶ記録されたディスクと同一となるよう記録線密度を一定としながら複数の記録線速度で記録を行う光記録方法であって、最大線速度Ｖmaxにおけるαi＝αimax（ｉ＝１〜ｍ）を０．５〜２とし、かつ該Ｖmaxにおけるαi'＝αimax'（ｉ＝１〜ｍ）を０．５〜２とし、低線速度ほどαi及びαi'（ｉ＝１〜ｍ）をそれぞれ単調に減少させるよ
うに上記記録パルス分割方法（Ｉ）を用いる方法である。
【手続補正１２】
【補正対象書類名】明細書
【補正対象項目名】０３８９
【補正方法】変更
【補正の内容】
【０３８９】
記録パルス分割方法（Ｉ）から派生した（ＩＩ），（ＩＩ−Ａ）（ＩＩＩ）、（ＩＩＩ−Ａ）、（ＩＩＩ−Ｂ）の各々に対しても同様に、記録パルス分割方法が定義できる。下記「記録パルス分割方法（Ｖ）」は、記録パルス分割方法（ＩＶ）において記録パルス分割方法（ＩＩ）を用いる場合である。
なお、以下の説明において、１倍速基準線速度、最大線速度Ｖmax、最小線速度Ｖminについて特に断らない場合は、ＣＤ−ＲＷとＲＷ−ＤＶＤで値を使い分ける。
【手続補正１３】
【補正対象書類名】明細書
【補正対象項目名】０３９１
【補正方法】変更
【補正の内容】
【０３９１】
同様に、最小線速度Ｖminとは、ＣＤ−ＲＷの場合、約２２倍速以下のいずれかの線速
度であり、ＲＷ−ＤＶＤの場合、約７倍速以下のいずれかの線速度である。当然のことながら、ＶmaxとＶminが対で用いられる場合、Ｖmax＞Ｖminとなる、線速度範囲から選ばれる。
従って、以下の説明においては、ＣＤ−ＲＷを想定する場合には、１倍速基準線速度、Ｖmax、Ｖminとして上記記載のＣＤ−ＲＷの値を用い、ＲＷ−ＤＶＤを想定する場合には、１倍速基準線速度、Ｖmax、Ｖminとして上記記載のＲＷ−ＤＶＤの値を用いる。
（記録パルス分割方法（Ｖ））
書き換え型光記録媒体が円盤状のディスクであり、同一ディスク面内において、１倍速基準速度でＣＬＶ記録されたディスクと同一となるよう記録線密度を一定としながら複数の記録線速度で記録を行う光記録方法であって、最大線速度Ｖmaxにおけるαi＝αimax（ｉ＝１〜ｍ）を０．５〜２とし、かつ該Ｖmaxにおけるαi'＝αimax'（ｉ＝１〜ｍ）を０．５〜２とし、低線速度ほどαi及びαi'（ｉ＝１〜ｍ）をそれぞれ単調に減少させるよ
うに上記記録パルス分割方法（ＩＩ）を用いる方法である。
【手続補正１４】
【補正対象書類名】明細書
【補正対象項目名】０３９２
【補正方法】変更
【補正の内容】
【０３９２】
また、上記記録パルス分割方法（Ｖ）において記録パルス分割方法（ＩＩ−Ａ）を用いる場合を、記録パルス分割方法（Ｖ−Ａ）とする。
さらに、記録パルス分割方法（ＩＶ）において、記録パルス分割方法（ＩＩＩ）を用いる場合を下記のように記録パルス分割方法（ＶＩ）とする。
（記録パルス分割方法（ＶＩ））
書き換え型光記録媒体が円盤状のディスクであり、同一ディスク面内において、１倍速基準速度でＣＬＶ記録されたディスクと同一となるよう記録線密度を一定としながら複数の記録線速度で記録を行う光記録方法であって、最大線速度Ｖmaxにおけるαi＝αimax（ｉ＝１〜ｍ）を０．５〜２とし、かつ該Ｖmaxにおけるαi'＝αimax'（ｉ＝１〜ｍ）を０．５〜２とし、低線速度ほどαi及びαi'（ｉ＝１〜ｍ）をそれぞれ単調に減少させるよ
うに上記記録パルス分割方法（ＩＩＩ）を用いる方法である。
【手続補正１５】
【補正対象書類名】明細書
【補正対象項目名】０３９６
【補正方法】変更
【補正の内容】
【０３９６】
なお、ｎ＝３の場合にも、α1'は低線速ほど単調減少させる。一方、Ｔd1'、β1'は、
低線速ほど単調に増加させる。
ここで、記録線密度を一定とするいうことは、記録線速度をＶ、そのときの基準クロック周期をＴとするとき、ＶＴが一定であることを意味する。かつ、記録線密度を一定とするいうことは、１倍速基準線速度Ｖ1における、基準クロック周期をＴ1とするとき、ＶＴ＝Ｖ1Ｔ1とすることを意味する。これにより、記録時の線速度の大小に関わらず、線速度一定で再生した場合には、ＣＤと同じ再生系での再生が可能となる。なお、ＶＴはＶ1Ｔ1に対して、ＣＤの再生回路上許容される程度のずれ、通常、±５％程度のずれは許される
ものとする。
【手続補正１６】
【補正対象書類名】明細書
【補正対象項目名】０４３１
【補正方法】変更
【補正の内容】
【０４３１】
このとき、基準クロック周期Ｔを各半径位置における線速度Ｖとの積ＶＴが一定となるように半径距離と反比例して変化させればマーク長ｎＴは回転角速度によらず一定となり、完全なＣＡＶモードでの記録でありながら、再生専用のＣＤ又は再生専用のＤＶＤと互換性のある一定線密度の記録ができる。
ここで、記録領域にはユーザーデータの記録領域以外に、システムが使用する試し書き領域、リードイン、リードアウト領域等も含む。従って、２２ｍｍ及び５８ｍｍという半径位置については±１ｍｍ程度の誤差を含んでいってもよい。また、この許容誤差に対応して以下で用いられる周波数値等にも若干のずれが生じるが、それも許容される。
【手続補正１７】
【補正対象書類名】明細書
【補正対象項目名】０４３３
【補正方法】変更
【補正の内容】
【０４３３】
光ディスク記録再生装置１には、該ディスクの中心部分を軸として等角速度回転させる手段であるスピンドルモーターＭ１と、記録再生のための集束光ビームを発生する光ピックアップを所定のアドレスに移動させる半径方向の移動機構（ＬＭ１）としてのリニアモーターを有する。ピックアップＰＵ１には、光ディスクの記録層面にレーザーダイオードを光源とする集束光ビームの焦点をあわせるフォーカスサーボ回路（ＦＥ１）と、該螺旋状の溝に沿って集束光ビームを走査させるための溝トラッキングサーボ回路（ＴＥ１）が組み込まれている。フォーカスサーボ回路には、非点収差法等の公知の手法が用いられる。トラッキングサーボ回路には、プッシュプル法や３ビーム法の公知の手法が用いられる（以上、「コンパクトディスク読本」第３版、オーム社、中島平太郎、小川博共著参照）
光ディスク記録再生装置１は、さらに溝蛇行から搬送周波数ｆA0、アドレス情報及びブロック同期信号を検出・解読する回路（ＷＡＤ１）と、該記録ブロックの開始位置及びデータの基準クロックＴ（周波数ｆd0）に同期してエンコーダＥＤ１及びＥＤ２によってマーク長変調された記録データ列を発生する回路と、該記録データ列に対応して記録レーザーパワーを変調する回路（ＷＰ１）とを有する。
【手続補正１８】
【補正対象書類名】明細書
【補正対象項目名】０４６１
【補正方法】変更
【補正の内容】
【０４６１】
一方、ｍが３以上の奇数マーク長がｎＴ＝（２ｍ＋１）Ｔに対しては、マークの記録に際して、マークをｍ個の区間に分割し、記録パルス区間αi'Ｔ及びオフパルス区間βi'Ｔにおけるαi'及びβi'を、
Ｔd1'＋α1'＝２、
β1'＋α2'＝２．２、ただし、β1'＝β1＋Δ1、
βi-1'＋αi'＝２（ｉ＝３〜ｍ−１）、
βm-1'＋αm'＝２．５５、ただし、βm-1'＝βm-1＋Δm-1、αm'＝αm＋Δm、
とした。
【手続補正１９】
【補正対象書類名】明細書
【補正対象項目名】０４７２
【補正方法】変更
【補正の内容】
【０４７２】
図７、８の（ｅ）、（ｆ）の図中の実線の横線は１倍速再生時の３Ｔマーク長＝３Ｔスペース長＝２３１×３（ｎｓｅｃ）を示す。また、点線の横線は２３１ｎｓｅｃ×３−４０ｎｓｅｃ、２３１ｎｓｅｃ×３＋４０ｎｓｅｃを示す。マーク長、スペース長については通常±２０％程度のずれは許容されるから、±３０〜４０ｎｓｅｃ以内であればよいが、図から、マーク長及びスペース長のずれはほとんどなく許容範囲内であることが分かる。同様に、最適Ｐｗ付近においては、４Ｔ〜１１Ｔのマーク長及びスペース長においても、基準クロック周期Ｔの±１０％程度の範囲内で所望のマーク長及びスペース長が得られた。
【手続補正２０】
【補正対象書類名】明細書
【補正対象項目名】０４８７
【補正方法】変更
【補正の内容】
【０４８７】
一方、ｍが３以上の奇数マーク長がｎＴ＝（２ｍ＋１）Ｔに対しては、マークの記録に際して、マークをｍ個の区間に分割し、記録パルス区間αi'Ｔ及びオフパルス区間βi'Ｔにおけるαi'及びβi'を、
Ｔd1'＋α1'＝２、
β1'＋α2'＝２．４、ただし、β1'＝β1＋Δ1、
βi-1'＋αi'＝２（ｉ＝３〜ｍ−１）、
βm-1'＋αm'＝２．５５、ただし、βm-1'＝βm-1＋Δm-1、αm'＝αm＋Δm、
とした。
【手続補正２１】
【補正対象書類名】明細書
【補正対象項目名】０４９０
【補正方法】変更
【補正の内容】
【０４９０】
３Ｔマークに対しては、Ｔd1'＝１．５、α1'＝０．８、β1'＝２としている。
次に、Ｔd1、Ｔd1'をすべてのｎにおいて一定とせず、３Ｔ及び４Ｔマークで異なる値
をとる記録パルス分割方法（ＩＩ―Ａ）の場合について、２４倍速記録において、以下の記録方式ＣＤ−ＩＩｂを用いて検討を行った。
（記録方式ＣＤ−ＩＩｂ）
ｍが３以上の偶数長マークがｎＴ＝２ｍＴに対しては、マークをｍ個の区間に分割し、記録パルス区間αiＴ及びオフパルス区間βiＴにおけるαi及びβiを、Ｔd1＋α1＝２、
βi-1＋αi＝２（ｉ＝２〜ｍ−１）、βm-1＋αm＝１．９、とした。
【手続補正２２】
【補正対象書類名】明細書
【補正対象項目名】０４９３
【補正方法】変更
【補正の内容】
【０４９３】
さらに、３Ｔマークに対しては、Ｔd1'＝０．５、α1'＝２．４、β1'＝０．４５とし
ている。
なお、各記録方式でのＴd1、αi、βi等を表−２にまとめて示す。いずれの記録方式も記録パルス分割方法（ＩＩ−Ａ）又は（Ｖ）に準じているので、ｍが３以上の場合に関しては、記録パルス分割方法（ＩＩ−Ａ）における、１０個のパラメータ（Ｔd1、α1、β1、Δ1、αc、βm-1、Δm-1、αm、Δm、βm）及び、ｎ＝３，４，５におけるＴd1、αi、βiを記載した。ただし、ｎ＝３の場合の（Ｔd1'、α1'、β1'）は、Ｔd1、α1、β1の項に記載した。ｎ＝４の場合の（Ｔd1、α1、β1、α2、β2）及び、ｎ＝５の場合の（Ｔd1'、α1'、β1'、α2、'、β2'）は、Ｔd1、α1、β1、αm、βmの欄に記載した。ここで
、記録方式ＣＤ１−１ｂ、２−１ｂにおいては、ｎ＝４の場合のβ1は、ｍが３以上（ｎ
≧６）の場合のβm-1に等しく、ｎ＝５の場合のβ1'は、ｍが３以上（ｎ≧６）の場合の
β1'（＝β1＋Δ1）と等しい。記録方式ＩＩｂにおいては、ｎ＝４、５の場合のβ1、β1'はそれぞれ、ｍが３の場合のβ1、β1'（＝β1＋Δ1）と等しい。
【手続補正２３】
【補正対象書類名】明細書
【補正対象項目名】０５０６
【補正方法】変更
【補正の内容】
【０５０６】
一方、ｍが３以上の場合の奇数マーク長、ｎＴ＝（２ｍ＋１）Ｔに対しては、マークをｍ個の区間に分割し、記録パルス区間αi'Ｔ及びオフパルス区間βi'Ｔにおけるαi'及びβi'を、以下のように設定した。
Ｔd1'＋α1'＝２、
β1'＋α2'＝２．３５、ただし、β1'＝β1＋Δ1、
βi-1'＋αi'＝２（ｉ＝３〜ｍ−１）、
βm-1'＋αm'＝２．４５、ただし、βm-1'＝βm-1＋Δm-1、αm'＝αm＋Δm、
とした。
【手続補正２４】
【補正対象書類名】明細書
【補正対象項目名】０５１２
【補正方法】変更
【補正の内容】
【０５１２】
３Ｔマークに対しては、Ｔd1'＝１．５、α1'＝０．６、β1'＝２．１としている。
なお、各記録方式でのＴd1、αi、βi等を表−３にまとめて示す。いずれの記録方式も記録パルス分割方法（ＩＩ−Ａ）又は（Ｖ）に準じているので、ｍが３以上の場合に関しては、記録パルス分割方法（ＩＩ−Ａ）における、１０個のパラメータ（Ｔd1、α1、β1、Δ1、αc、βm-1、Δm-1、αm、Δm、βm）及び、ｎ＝３，４，５におけるＴd1、αi、βiを記載した。ただし、ｎ＝３の場合の（Ｔd1'、α1'、β1'）は、Ｔd1、α1、β1の項に記載した。ｎ＝４の場合の（Ｔd1、α1、β1、α2、β2）及び、ｎ＝５の場合の（Ｔd1'、α1'、β1'、α2、'、β2'）は、Ｔd1、α1、β1、αm、βmの欄に記載した。
【手続補正２５】
【補正対象書類名】明細書
【補正対象項目名】０５２６
【補正方法】変更
【補正の内容】
【０５２６】
３Ｔマークに対しては、Ｔd1'＝１．５、α1'＝０．７、β1'＝１．７としている。
なお、各記録方式でのＴd1、αi、βi等を表−４にまとめて示す。
表−４において、記録パルス分割方式はｎ＝３の場合とｎが４〜１１の場合とに分けて記載した。ｎ＝３の場合には、Ｔd1'、α1'、β1'の３つのパラメータが必要であるが、
表−４では、それぞれＴd1、α1、βmの欄に記載した。ｎが４〜１１の場合には、記録パルス分割方法（ＩＩＩ−Ａ）において、Ｔd1＋α1＝Ｔd1’＋α1'＝２、β1＋α2＝βm-1＋αm＝２、α1＝αm＝αｃ、Δmはｍによらず一定とした。したがって、表−４では、Ｔd1、β1、βm-1、βm、αmも含めて１０個のパラメータを記載しているが、独立パラメータはα1、αｃ、Δm-1、Δm、Δm'の５個である。また、ｎ＝４の場合には、β1＝βm-1
＝βｃ、α2＝αm＝αｃ、β2＝βmである。ｎ＝５の場合には、β1'＝βｃ＋Δm-1、α2＝αｃ＋Δm、β2'＝βm'＋Δm'である。
【手続補正２６】
【補正対象書類名】明細書
【補正対象項目名】０５４５
【補正方法】変更
【補正の内容】
【０５４５】
３Ｔマークに対しては、Ｔd1'＝１．３、α1'＝１．１、β1'＝０．９５としている。
さらに、１０倍速記録の場合には、記録方式ＣＤ２−１の具体例として、以下の（記録方式ＣＤ２−１ｅ）を使用した。（記録方式ＣＤ２−１ｅ）は、記録パルス分割方法（Ｖ）における、独立パラメータの数をさらに限定した使用方法となっている。
（記録方式ＣＤ２−１ｅ）
ｍが３以上の場合の、偶数マーク長ｎＴ＝２ｍＴに対しては、マークの記録に際して、マークをｍ個の区間に分割し、記録パルス区間αiＴ及びオフパルス区間βiＴにおけるαi及びβiを、
Ｔd1＋α1＝２、
β1＋α2＝２、
βi-1＋αi＝２（ｉ＝２〜ｍ）、
とした。
【手続補正２７】
【補正対象書類名】明細書
【補正対象項目名】０５４９
【補正方法】変更
【補正の内容】
【０５４９】
３Ｔマークに対しては、Ｔd1'＝１．７、α1'＝０．５、β1'＝１．９としている。
なお、各記録方式でのＴd1、αi、βi等を表−５にまとめて示す。いずれの記録方式も記録パルス分割方法（ＩＩ）又は（Ｖ）に準じているので、ｍが３以上の場合に関しては、記録パルス分割方法（ＩＩ−Ａ）における、１０個のパラメータ（Ｔd1、α1、β1、Δ1、αc、βm-1、Δm-1、αm、Δm、βm）及び、ｎ＝３，４，５におけるＴd1、αi、βi
を記載した。ただし、ｎ＝３の場合の（Ｔd1'、α1'、β1'）は、Ｔd1、α1、β1の項に
記載した。ｎ＝４の場合の（Ｔd1、α1、β1、α2、β2）及び、ｎ＝５の場合の（Ｔd1'
、α1'、β1'、α2、'、β2'）は、Ｔd1、α1、β1、αm、βmの欄に記載した。
【手続補正２８】
【補正対象書類名】明細書
【補正対象項目名】０５６８
【補正方法】変更
【補正の内容】
【０５６８】
ｎが４〜１１の場合には、記録パルス分割方法（ＩＩＩ−Ａ）において、Ｔd1＋α1＝
Ｔd1’＋α1'＝２、β1＋α2＝βm-1＋αm＝２、α1＝αm＝αｃはｍによらず一定とした。
表−６では、Ｔd1、β1、βm-1、βm、αmも含めて１０個のパラメータを記載しているが、独立パラメータはα1、αｃ、Δm-1、Δm1、Δm2、Δm'の６個である。ただし、Δm2とΔm1が異なる値となるのは、記録方式ＣＤ１−２ａ（３２倍速）の場合だけであって、ｍ＝２，３に対してΔm1＝０．４４を用い、ｍ＝４，５に対して、Δm2＝０．５を用いた。
【手続補正２９】
【補正対象書類名】明細書
【補正対象項目名】０５８３
【補正方法】変更
【補正の内容】
【０５８３】
次に、各倍速におけるオーバーライト耐久性の評価を行った。各線速で、表−７に示すＰｗ0及びＰｅ／Ｐｗ比において、オーバーライトを行ったときのオーバーライト回数依
存性を図３９に表す。図３９において、（ａ）が３Ｔマーク長ジッタ、（ｂ）が３Ｔスペース長ジッタを示す。
以上まとめると本発明記録媒体及び記録パルス分割方式（ＣＤ−ＶＩ−１）を適用すれば、８〜２４倍速の広範囲において、少数のパラメータを可変とする記録パルス分割方式により良好な特性が得られる。
（実施例８）
ついで、実施例５の媒体に対してテスタ１を用い、表−８に示したように、記録パルス分割方式（ＣＤ−ＶＩ−２）を用いて、８倍速から３２倍速までの線速において、オーバーライト記録を行った。記録パルス分割方式（ＣＤ−ＶＩ−２）は、記録パルス分割方法（ＶＩ−Ｂ）を適用した例である。
【手続補正３０】
【補正対象書類名】明細書
【補正対象項目名】０５９０
【補正方法】変更
【補正の内容】
【０５９０】
次に、各倍速におけるオーバーライト耐久性の評価を行った。各線速で、表−８に示すＰｗ0及びＰｅ／Ｐｗ比において、オーバーライトを行ったときのオーバーライト回数依
存性を図４１に表す。図４１において、（ａ）が３Ｔマーク長ジッタ、（ｂ）が３Ｔスペース長ジッタを示す。
以上まとめると本発明記録媒体及び記録パルス分割方式（ＣＤ−ＶＩ−２）を適用すれば、８〜３２倍速の広範囲において、少数のパラメータを可変とする記録パルス分割方式により良好な特性がえられる。
【手続補正３１】
【補正対象書類名】明細書
【補正対象項目名】０６０２
【補正方法】変更
【補正の内容】
【０６０２】
３Ｔマークに対しては、Ｔd1'＝１．６５、α1'＝０．５、β1'＝１．９としている。
なお、各記録方式でのＴd1、αi、βi等を表−９にまとめて示す。
表―９において、記録パルス分割方式はｎ＝３の場合とｎが４〜１１の場合とに分けて記載した。ｎ＝３の場合には、Ｔd1'、α1'、β1'の３つのパラメータが必要であるが、
表−９では、それぞれＴd1、α1、βmの欄に記載した。ｎが４〜１１の場合には、記録パルス分割方法（ＩＩＩ−Ａ）において、Ｔd1＋α1＝Ｔd1’＋α1'＝２、β1＋α2＝βm-1＋αm＝２、α1＝αm＝αｃ、Δmはｍによらず一定とした。したがって、表−９では、Ｔd1、β1、βm-1、βm、αmも含めて１０個のパラメータを記載しているが、独立パラメータはα1、αｃ、Δm-1、Δm、Δm'の５個である。また、ｎ＝４の場合には、β1＝βm-1
＝βｃ、α2＝αm＝αｃ、β2＝βmである。ｎ＝５の場合には、β1'＝βｃ＋Δm-1、α2＝αｃ＋Δm、β2'＝βm'である。
【手続補正３２】
【補正対象書類名】明細書
【補正対象項目名】０６０４
【補正方法】変更
【補正の内容】
【０６０４】
オーバーライト特性の評価結果を２４倍速の（記録方式ＣＤ１−２ｃ）と、８倍速の（記録方式ＣＤ２−２ｄ）について図４４に示す。消去パワーＰｅと記録パワーＰｗの比Ｐｅ／Ｐｗは、２４倍速の（記録方式ＣＤ１−２ｃ）は０．２７、８倍速の（記録方式ＣＤ２−２ｄ）は０．２７で一定とした。（記録方式ＣＤ１−２ｃ）では、Ｐｗを２６ｍＷ程度から３８ｍＷ程度まで２ｍＷ刻みで変化させた。（記録方式ＣＤ２−２ｄ）では、Ｐｗを２６ｍＷ程度から３６ｍＷ程度まで２ｍＷ刻みで変化させた。バイアスパワーＰｂは一定の値０．８ｍＷとしている。
【手続補正３３】
【補正対象書類名】明細書
【補正対象項目名】０６２５
【補正方法】変更
【補正の内容】
【０６２５】
ここで、Ｔd1＝Ｔd1'＝１、α1＝α1'＝１、αi＝αi'＝αｃ＝０．９（ｉ＝２〜ｍ−
１のｉに対してαｃは一定）、βm-1＝１．１、Δm-1＝０．３５，Δm＝０．５、Δmm＝
０．８５，αm＝０．９、βm＝０．４、Δm'＝０で、２以上のｍに対しては一定である。
ただし、ｍ＝２の場合のβ1、α2、β2、β1'、α2'、β2'は、それぞれ、ｍが３以上
の場合の、βm-1、αm、βm、βm-1'、αm'、βm'とみなす。すなわち、４Ｔマークに対
しては、β1＝１．１、α2＝０．９、βm＝０．４とし、５Ｔマークに対しては、β1'＝
１．４５、α2'＝１．４、βm'＝０．４とした。
【手続補正３４】
【補正対象書類名】明細書
【補正対象項目名】０６２６
【補正方法】変更
【補正の内容】
【０６２６】
ｍ＝１、すなわち３Ｔマークに対しては、Ｔd1'＝１．０、α1'＝１．４、β1'＝０．
８５とした。
なお、記録方式でのＴd1、αi、βi等を表−１１にまとめて示す。
表−１１において、記録パルス分割方式はｎ＝３の場合とｎが４〜１１の場合とに分けて記載した。ｎ＝３の場合には、Ｔd1'、α1'、β1'の３つのパラメータが必要であるが
、表−１１では、それぞれＴd1、α1、βmの欄に記載した。ｎが４〜１１の場合には、記録パルス分割方法（ＩＩＩ−Ａ）において、Ｔd1＋α1＝Ｔd1’＋α1'＝２、β1＋α2＝
βm-1＋αm＝２、α1＝αm＝αｃ、Δmはｍによらず一定とした。したがって、表−１１
では、Ｔd1、β1、βm-1、βm、αmも含めて１０個のパラメータを記載しているが、独立パラメータはα1、αｃ、Δm-1、Δm、Δm'の５個である。また、ｎ＝４の場合には、β1＝βm-1＝βｃ、α2＝αm＝αｃ、β2＝βmである。ｎ＝５の場合には、β1'＝βｃ＋Δm-1、α2＝αｃ＋Δm、β2'＝βm'である。
【手続補正３５】
【補正対象書類名】明細書
【補正対象項目名】０６５３
【補正方法】変更
【補正の内容】
【０６５３】
消去パワーＰｅと記録パワーＰｗの比Ｐｅ／Ｐｗは０．２７一定としＰｗを変化させ、それぞれの記録パワーでオーバーライト特性を評価した。いずれも１０回オーバーライト後の値で評価した。Ｐｂはほぼ０ｍＷで一定とした。
（記録パルス分割方式ＣＤ−ＶＩ−３）
この記録方式は、記録パルス分割方法（ＶＩ−Ｂ）の例であるが、Δm-1＝０とし、Δm、Δm'のみを各線速度で最適化することで、奇数／偶数長のマーク長差を付与している。
【手続補正３６】
【補正対象書類名】明細書
【補正対象項目名】０６６０
【補正方法】変更
【補正の内容】
【０６６０】
以上まとめると本発明記録媒体及び（記録パルス分割方式ＣＤ−ＶＩ−３）は、８〜２４倍速の広範囲において、少数のパラメータを可変とする記録パルス分割方式により良好な特性がえられ、再生信号は既存のＣＤドライブで再生可能な品質である。また、この間の線速においても記録パルス分割方法を本発明のごとく可変とすることによって良好な特性がえられる。
【手続補正３７】
【補正対象書類名】明細書
【補正対象項目名】０６６１
【補正方法】変更
【補正の内容】
【０６６１】
次に、各倍速におけるオーバーライト耐久性の評価を行った。各線速で、表−１４に示すＰｗｏ及びＰｅ／Ｐｗ比において、オーバーライトを行ったときのオーバーライト回数依存性を図５３に表す。図５３において、（ａ）が３Ｔマーク長ジッタ、（ｂ）が３Ｔスペース長ジッタを示す。
いずれの線速においてもＣＤ−ＲＷに要求される１０００回というオーバーライト耐久性は十分満たされていた。
（記録パルス分割方式ＣＤ−ＶＩ−４）
この記録方式は、記録パルス分割方法（ＶＩ−Ｂ）の例であるが、Δm'＝０とし、Δm
―1、Δmのみを各線速度で最適化することで、奇数／偶数長のマーク長差を付与している。
【手続補正３８】
【補正対象書類名】明細書
【補正対象項目名】０６６７
【補正方法】変更
【補正の内容】
【０６６７】
以上まとめると本発明記録媒体及び（記録パルス分割方式ＣＤ−ＶＩ−４）を適用すれば、８〜２４倍速の広範囲において、少数のパラメータを可変とする記録パルス分割方式により良好な特性がえられ、再生信号は既存のＣＤドライブで再生可能な品質である。また、この間の線速においても記録パルス分割方法を本発明のごとく可変とすることによって良好な特性がえられる。
【手続補正３９】
【補正対象書類名】明細書
【補正対象項目名】０６６８
【補正方法】変更
【補正の内容】
【０６６８】
次に、各倍速におけるオーバーライト耐久性の評価を行った。各線速で、表−１５に示すＰｗｏ及びＰｅ／Ｐｗ比において、オーバーライトを行ったときのオーバーライト回数依存性を図５５に表す。図５５において、（ａ）が３Ｔマーク長ジッタ、（ｂ）が３Ｔスペース長ジッタを示す。
いずれの線速においてもＣＤ−ＲＷに要求される１０００回というオーバーライト耐久性は十分満たされていた。
（記録パルス分割方式ＣＤ−ＶＩ−５）
この記録方式は、記録パルス分割方法（ＶＩ−Ｂ）の例であるが、Δ＝Δm-1＝Δmとし、Δ、Δm'のみを各線速度で最適化することで、奇数／偶数長のマーク長差を付与している。
【手続補正４０】
【補正対象書類名】明細書
【補正対象項目名】０６７４
【補正方法】変更
【補正の内容】
【０６７４】
以上まとめると本発明記録媒体及び（記録パルス分割方式ＣＤ−ＶＩ−５）を適用すれば、８〜２４倍速の広範囲において、少数のパラメータを可変とする記録パルス分割方式により良好な特性がえられ、再生信号は既存のＣＤドライブで再生可能な品質である。また、この間の線速においても記録パルス分割方法を本発明のごとく可変とすることによって良好な特性がえられる。
【手続補正４１】
【補正対象書類名】明細書
【補正対象項目名】０６７７
【補正方法】変更
【補正の内容】
【０６７７】
このＡｇ反射層の体積抵抗率ρvは約２４ｎΩ・ｍ、面積抵抗率ρsは約０．１２Ω／□であった。
実施例１４（ａ）のディスク及び１４（ｂ）のディスクの初期化は、ともに長軸約７５μｍ、短軸約１．０μｍの楕円形スポット形状を有する波長約８１０ｎｍのレーザーダイオード光を短軸方向に、線速約１２ｍ／ｓで走査して行なった。照射パワーは約８５０ｍＷである。
【手続補正４２】
【補正対象書類名】明細書
【補正対象項目名】０６７８
【補正方法】変更
【補正の内容】
【０６７８】
これらディスクに、ＮＡ＝０．５０のテスター２を用いて、表−１７に示す、下記の（記録方式１−２ｆ）にて２４倍速で、（記録方式２−２ｆ）にて８倍速で、ＥＦＭ変調信号のオーバーライトを行ない、その特性を評価した。
消去パワーＰｅと記録パワーＰｗの比Ｐｅ／Ｐｗは０．２７一定としＰｗを変化させ、それぞれの記録パワーでオーバーライト特性を評価した。いずれも１０回オーバーライト後の値で評価した。Ｐｂはほぼ０ｍＷで一定とした。
この記録方式は、記録パルス分割方法（ＩＩＩ−Ａ）における、独立パラメータの数を
さらに限定した使用方法となっている。
【手続補正４３】
【補正対象書類名】明細書
【補正対象項目名】０６８６
【補正方法】変更
【補正の内容】
【０６８６】
以上まとめると本発明記録媒体及び（記録方式ＣＤ１−２ｆ）及び（記録方式ＣＤ２−２ｆ）を適用すれば、実施例１４（ａ）、１４（ｂ）のどちらのディスクにおいても８倍速、２４倍速の広範囲において、少数のパラメータを可変とする記録パルス分割方式により良好な特性がえられ、再生信号は既存のＣＤドライブで再生可能な品質であるが、特に、実施例１４（ｂ）のディスクのように、反射膜の面積抵抗率を０．２Ω／□以下とするほうが、広い線速度範囲において、広い記録パワーマージンが得られて望ましい。
（実施例１５）
上記基本例において、下記のようにしてディスクを製造し記録を行なった。
【手続補正４４】
【補正対象書類名】明細書
【補正対象項目名】０６９４
【補正方法】変更
【補正の内容】
【０６９４】
表―１８の各記録方式は、ＣＡＶ記録等、広範囲の線速度でのオーバーライトに適用される本発明記録パルス分割方法（ＶＩ−Ｂ）の例でもある。
ここで、ｎ＝３におけるβ1'＝１．３８が、ｍ＝３におけるβ1'＝１．１９＋０．２５＝１．４４と約４％程度のすれがあるが、これは、このような高周波数における装置上のパルス設定の限界に由来するものであり、実質的に（ＶＩ−Ｂ）で規定された規則性は踏
襲されている。
【手続補正４５】
【補正対象書類名】明細書
【補正対象項目名】０７１９
【補正方法】変更
【補正の内容】
【０７１９】
なお、（参考ＣＤ記録方式１）でのＴd1、αi、βi等を表−１９にまとめて示す。
表−１９において、記録パルス分割方式はｎ＝３の場合とｎが４〜１１の場合とに分けて記載した。ｎ＝３の場合には、Ｔd1'、α1'、β1'の３つのパラメータが必要であるが
、表−１９では、それぞれＴd1、α1、βmの欄に記載した。ｎが４〜１１の場合には、記録パルス分割方法（ＩＩＩ−Ａ）において、Ｔd1＋α1＝Ｔd1’＋α1'＝２、β1＋α2＝
βm-1＋αm＝２、α1＝αm＝αｃ、Δmはｍによらず一定とした。したがって、表−１９
では、Ｔd1、β1、βm-1、βm、αmも含めて１０個のパラメータを記載しているが、独立パラメータはα1、αｃ、Δm-1、Δm、Δm'の５個である。また、ｎ＝４の場合には、β1＝βm-1＝βｃ、α2＝αm＝αｃ、β2＝βmである。ｎ＝５の場合には、β1'＝βｃ＋Δm-1、α2＝αｃ＋Δm、β2'＝βm'である。
【手続補正４６】
【補正対象書類名】明細書
【補正対象項目名】０７３５
【補正方法】変更
【補正の内容】
【０７３５】
ｍ＝１、すなわち３Ｔマークに対しては、Ｔd1'＝１、α1'＝１．５、β1'＝０．５６
とした。
一方、２．５倍速記録の場合には、記録方式ＤＶＤ２−１の具体例として、以下の（記録方式ＤＶＤ２−１ａ）を使用した。（記録方式ＤＶＤ２−１ａ）は、記録パルス分割方法（Ｖ）における、独立パラメータの数をさらに限定した使用方法となっている。
（記録方式ＤＶＤ２−１ａ）
ｍが３以上の場合の、偶数マーク長ｎＴ＝２ｍＴに対しては、マークの記録に際して、マークをｍ個の区間に分割し、記録パルス区間αiＴ及びオフパルス区間βiＴにおけるαi及びβiを、
Ｔd1＋α1＝２、
βi-1＋αi＝２（ｉ＝２〜ｍ−１）、
βm-1＋αm＝２、
とした。
【手続補正４７】
【補正対象書類名】明細書
【補正対象項目名】０７３９
【補正方法】変更
【補正の内容】
【０７３９】
なお、各記録方式でのＴd1、αi、βi等を表−２０にまとめて示す。いずれの記録方式も記録パルス分割方法（ＩＩ−Ａ）又は（Ｖ）に準じているので、ｍが３以上の場合に関しては、記録パルス分割方法（ＩＩ）における、１０個のパラメータ（Ｔd1、α1、β1、Δ1、αｃ、βm-1、Δm-1、αm、Δm、βm）及び、ｎ＝３，４，５におけるＴd1、αi、
βiを記載した。ただし、ｎ＝３の場合の（Ｔd1'、α1'、β1'）は、Ｔd1、α1、β1の項
に記載した。ｎ＝４の場合の（Ｔd1、α1、β1、α2、β2）及び、ｎ＝５の場合の（Ｔd1'、α1'、β1'、α2、'、β2'）は、Ｔd1、α1、β1、αm、βmの欄に記載した。
【手続補正４８】
【補正対象書類名】明細書
【補正対象項目名】０７５３
【補正方法】変更
【補正の内容】
【０７５３】
ｍ＝１、すなわち３Ｔマークに対しては、Ｔd1'＝０．８１２５、α1'＝１．６２５、
β1'＝０．３７５とした。
一方、２．５倍速記録の場合には、記録方式ＤＶＤ２−２の具体例として、以下の（記録方式ＤＶＤ２−２ａ）を使用した。（記録方式ＤＶＤ２−２ａ）は、記録パルス分割方法（ＶＩ）における、独立パラメータの数をさらに限定した使用方法となっている。
（記録方式ＤＶＤ２−２ａ）
ｍが３以上の場合の、偶数マーク長ｎＴ＝２ｍＴに対しては、マークの記録に際して、マークをｍ個の区間に分割し、記録パルス区間αiＴ及びオフパルス区間βiＴにおけるαi及びβiを、
Ｔd1＋α1＝２、
βi-1＋αi＝２（ｉ＝２〜ｍ）、
とした。
【手続補正４９】
【補正対象書類名】明細書
【補正対象項目名】０７５７
【補正方法】変更
【補正の内容】
【０７５７】
なお、各記録方式でのＴd1、αi、βi等を表−２１にまとめて示す。いずれの記録方式も記録パルス分割方法（ＩＩＩ）準じているので、ｍが３以上の場合に関しては、記録パルス分割方法（ＩＩＩ）における、９個のパラメータ（Ｔd1、α1、β1、αｃ、βm-1、
Δm-1、αm、Δm、βm）及び、ｎ＝３，４，５におけるＴd1、αi、βiを記載した。ただし、ｎ＝３の場合の（Ｔd1'、α1'、β1'）は、Ｔd1、α1、βmの項に記載した。ｎ＝４
の場合の（Ｔd1、α1、β1、α2、β2）及び、ｎ＝５の場合の（Ｔd1'、α1'、β1'、α2、'、β2'）は、Ｔd1、α1、β1、αm、βmの欄に記載した。
【手続補正５０】
【補正対象書類名】明細書
【補正対象項目名】０７６０
【補正方法】変更
【補正の内容】
【０７６０】
図６６において（ａ）〜（ｃ）はそれぞれ、（ａ）ジッタ、（ｂ）変調度ｍ14、（ｃ）ＲtopのＰｗ依存性を表す。
ジッタが最小となる最適記録パワーは（記録方式ＤＶＤ１−２ａ）では１７−１９ｍＷである。
図６６（ａ）より、全てのＰｗにおいて１倍速再生時のジッタが１５％以下となっていることがわかる。さらに、図６６（ａ）の図中の横線は１倍速再生時のジッタ＝１０％を示しているが、最適Ｐｗ付近におけるジッタ値は１０％以下となった。
【手続補正５１】
【補正対象書類名】明細書
【補正対象項目名】０７７１
【補正方法】変更
【補正の内容】
【０７７１】
一方、３倍速記録の場合には、記録方式ＤＶＤ２−２の具体例として、以下の（記録方式ＤＶＤ２−２ｂ）を使用した。（記録方式ＤＶＤ２−２ｂ）は、記録パルス分割方法（ＶＩ）における、独立パラメータの数をさらに限定した使用方法となっている。
（記録方式ＤＶＤ２−２ｂ）
ｍが３以上の場合の、偶数マーク長ｎＴ＝２ｍＴに対しては、マークの記録に際して、マークをｍ個の区間に分割し、記録パルス区間αiＴ及びオフパルス区間βiＴにおけるαi
及びβiを、
Ｔd1＋α1＝２、
βi-1＋αi＝２（ｉ＝２〜ｍ）、
とした。
【手続補正５２】
【補正対象書類名】明細書
【補正対象項目名】０７７５
【補正方法】変更
【補正の内容】
【０７７５】
なお、各記録方式でのＴd1、αi、βi等を表−２２にまとめて示す。いずれの記録方式も記録パルス分割方法（ＩＩＩ）準じているので、ｍが３以上の場合に関しては、記録パルス分割方法（ＩＩＩ）における、９個のパラメータ（Ｔd1、α1、β1、αｃ、βm-1、
Δm-1、αm、Δm、βm）及び、ｎ＝３，４，５におけるＴd1、αi、βiを記載した。ただし、ｎ＝３の場合の（Ｔd1'、α1'、β1'）は、Ｔd1、α1、βmの項に記載した。ｎ＝４
の場合の（Ｔd1、α1、β1、α2、β2）及び、ｎ＝５の場合の（Ｔd1'、α1'、β1'、α2、'、β2'）は、Ｔd1、α1、β1、αm、βmの欄に記載した。
【手続補正５３】
【補正対象書類名】明細書
【補正対象項目名】０７７７
【補正方法】変更
【補正の内容】
【０７７７】
８倍速における（記録方式ＤＶＤ１−２ｂ）の場合の、オーバーライト特性の評価結果を図６８に示す。消去パワーＰｅと記録パワーＰｗの比Ｐｅ／Ｐｗは（記録方式ＤＶＤ１−２ｂ）では０．２４とした。Ｐｗを１８ｍＷから２５ｍＷまで１ｍＷ刻みで変化させた。バイアスパワーＰｂは一定０．５ｍＷとしている。
【手続補正５４】
【補正対象書類名】明細書
【補正対象項目名】０７７８
【補正方法】変更
【補正の内容】
【０７７８】
図６８において（ａ）〜（ｃ）はそれぞれ、（ａ）ジッタ、（ｂ）変調度ｍ14、（ｃ）ＲtopのＰｗ依存性を表す。
ジッタが最小となる最適記録パワーは（記録方式ＤＶＤ１−２ｂ）では２２−２５ｍＷである。
図６８（ａ）より、全てのＰｗにおいて１倍速再生時のジッタが１５％以下となっていることがわかる。さらに、図６８（ａ）の図中の横線は１倍速再生時のジッタ＝１０％を示しているが、最適Ｐｗ付近におけるジッタ値は１０％以下となった。
【手続補正５５】
【補正対象書類名】明細書
【補正対象項目名】０７９２
【補正方法】変更
【補正の内容】
【０７９２】
ｍ＝１、すなわち３Ｔマークに対しては、Ｔd1'＝１．１７、α1'＝１．０８、β1'＝
０．６７とした。
一方、４倍速記録の場合には、記録方式ＤＶＤ２−２の具体例として、以下の（記録方式ＤＶＤ２−２ｃ）を使用した。（記録方式ＤＶＤ２−２ｃ）は、記録パルス分割方法（ＶＩ）における、独立パラメータの数をさらに限定した使用方法となっている。
（記録方式ＤＶＤ２−２ｃ）
ｍが３以上の場合の、偶数マーク長ｎＴ＝２ｍＴに対しては、マークの記録に際して、マークをｍ個の区間に分割し、記録パルス区間αiＴ及びオフパルス区間βiＴにおけるαi及びβiを、
Ｔd1＋α1＝２、
βi-1＋αi＝２（ｉ＝２〜ｍ）、
とした。
【手続補正５６】
【補正対象書類名】明細書
【補正対象項目名】０７９５
【補正方法】変更
【補正の内容】
【０７９５】
３Ｔマークに対しては、Ｔd1'＝１．４４、α1'＝１．１９、β1'＝０．８８としてい
る。
なお、各記録方式でのＴd1、αi、βi等を表−２３にまとめて示す。いずれの記録方式も記録パルス分割方法（ＩＩＩ）準じているので、ｍが３以上の場合に関しては、記録パルス分割方法（ＩＩＩ）における、９個のパラメータ（Ｔd1、α1、β1、αｃ、βm-1、
Δm-1、αm、Δm、βm）及び、ｎ＝３，４，５におけるＴd1、αi、βiを記載した。Δm'は、本実施例ではゼロとしているために省略した。また、ｎ＝３の場合の（Ｔd1'、α1'
、β1'）は、Ｔd1、α1、βmの項に記載した。ｎ＝４の場合の（Ｔd1、α1、β1、α2、
β2）及び、ｎ＝５の場合の（Ｔd1'、α1'、β1'、α2'、β2'）は、Ｔd1、α1、β1、αm、βmの欄に記載した。
【手続補正５７】
【補正対象書類名】明細書
【補正対象項目名】０８０９
【補正方法】変更
【補正の内容】
【０８０９】
ここで、
αi＝α1'＝１（ｉ＝２〜ｍ−１）、
βi＝βi'＝１（ｉ＝２〜ｍ−１）、
ｎが偶数の場合は、
α1＝１．０５、β1＝１、αm＝１、βm＝０．４、
ｎが奇数の場合は、
α1'＝１．０５、β1'＝１．４５、αm'＝１、βm'＝０．４、
また、ｍ＝２の場合のα1、β1、α2、β2、α1'、β1'、α2'、β2'は、それぞれ、ｍが３以上の場合のα1、β1、αm、βm、α1'、β1'、αm'、βm'とみなす。すなわち、４Ｔマークに対しては、Ｔd1＝０．９５、α1＝１．０５、β1＝１、α2＝１、β2＝０．４とし、５Ｔマークに対しては、Ｔd1'＝１、α1'＝１．０５、β1'＝１．４５、α2'＝１
、β2'＝０．４としている。
【手続補正５８】
【補正対象書類名】図面
【補正対象項目名】図６４
【補正方法】変更
【補正の内容】
【図６４】
2004227743.tif 000001
【手続補正５９】
【補正対象書類名】図面
【補正対象項目名】図６５
【補正方法】変更
【補正の内容】
【図６５】
2004227743.tif 000002
【手続補正６０】
【補正対象書類名】図面
【補正対象項目名】図６６
【補正方法】変更
【補正の内容】
【図６６】
2004227743.tif 000003
【手続補正６１】
【補正対象書類名】図面
【補正対象項目名】図６７
【補正方法】変更
【補正の内容】
【図６７】
2004227743.tif 000004
【手続補正６２】
【補正対象書類名】図面
【補正対象項目名】図６８
【補正方法】変更
【補正の内容】
【図６８】
2004227743.tif 000005
【手続補正６３】
【補正対象書類名】図面
【補正対象項目名】図６９
【補正方法】変更
【補正の内容】
【図６９】
2004227743.tif 000006